(57)【要約】【課題】無線通信リソースの利用効率の低下を抑制しながら無線通信ネットワーク識別子の重複を回避することが可能な仕組みを提供する。【解決手段】物理層で識別される無線通信ネットワーク識別子の要求信号を送信し、前記要求信号の送信後に、前記無線通信ネットワーク識別子に対応する無線通信リソースにおいて応答信号を受信する通信部を備える、通信装置。物理層で識別される無線通信ネットワーク識別子の要求信号を受信し、前記要求信号の受信後に、前記無線通信ネットワーク識別子に対応する無線通信リソースにおいて応答信号を送信する通信部を備える、通信装置。【選択図】図７
2017118250.tif 000002
【特許請求の範囲】
【請求項１】
物理層で識別される無線通信ネットワーク識別子の要求信号を送信し、
前記要求信号の送信後に、前記無線通信ネットワーク識別子に対応する無線通信リソースにおいて応答信号を受信する通信部を備える、通信装置。
【請求項２】
前記無線通信ネットワーク識別子は、前記応答信号の送信元の属する無線通信ネットワークにおいて使用されている第１の無線通信ネットワーク識別子を含む、請求項１に記載の通信装置。
【請求項３】
前記無線通信ネットワーク識別子は、前記応答信号の送信元の属する無線通信ネットワークに隣接する無線通信ネットワークにおいて使用されている第２の無線通信ネットワーク識別子を含む、請求項２に記載の通信装置。
【請求項４】
前記第１の無線通信ネットワーク識別子に対応する無線通信リソースのみを有する第１の無線通信リソースと、前記第２の無線通信ネットワーク識別子に対応する無線通信リソースのみを有する第２の無線通信リソースと、が互いに重複しないで設けられる、請求項３に記載の通信装置。
【請求項５】
前記通信部は、前記応答信号が受信された前記無線通信リソースに対応する前記無線通信ネットワーク識別子以外の前記無線通信ネットワーク識別子を前記通信装置の属する無線通信ネットワークの前記無線通信ネットワーク識別子に決定する、請求項４に記載の通信装置。
【請求項６】
前記通信部は、前記応答信号が受信された前記無線通信リソースに対応する前記無線通信ネットワーク識別子以外の前記無線通信ネットワーク識別子が存在しない場合、前記第１の無線通信リソースにおける前記応答信号が受信されていない前記無線通信リソースに対応する前記無線通信ネットワーク識別子を前記通信装置の属する無線通信ネットワークの前記無線通信ネットワーク識別子に決定する、請求項５に記載の通信装置。
【請求項７】
前記要求信号は、前記無線通信ネットワーク識別子と前記無線通信リソースとの対応関係が特定される対応関係情報を有する、請求項１に記載の通信装置。
【請求項８】
前記対応関係情報は、前記無線通信リソースの前記無線通信ネットワーク識別子に応じた区切りの数または区切りの間隔が特定される情報を含む、請求項７に記載の通信装置。
【請求項９】
前記通信部は、受信信号強度が閾値以上である前記応答信号を受信する、請求項１に記載の通信装置。
【請求項１０】
前記無線通信ネットワーク識別子は、ＢＳＳ（Basic  Service  Set）を物理層で識別するための情報を含む、請求項１に記載の通信装置。
【請求項１１】
前記無線通信リソースは、時間、周波数または符号を含む、請求項１に記載の通信装置。
【請求項１２】
前記応答信号は、時間、周波数または符号について多重化される、請求項１１に記載の通信装置。
【請求項１３】
物理層で識別される無線通信ネットワーク識別子の要求信号を受信し、
前記要求信号の受信後に、前記無線通信ネットワーク識別子に対応する無線通信リソースにおいて応答信号を送信する通信部を備える、通信装置。
【請求項１４】
前記通信部は、前記通信装置の属する無線通信ネットワークにおいて使用されている第１の無線通信ネットワーク識別子に対応する無線通信リソースにおいて前記応答信号を送信する、請求項１３に記載の通信装置。
【請求項１５】
前記通信部は、他の通信装置から第２の無線通信ネットワーク識別子を有する信号を受信し、
受信された信号の有する前記第２の無線通信ネットワーク識別子に対応する無線通信リソースにおいて前記応答信号を送信する、請求項１４に記載の通信装置。
【請求項１６】
前記通信部は、第１の無線通信リソースにおいては、前記第１の無線通信ネットワーク識別子に対応する無線通信リソースにおいてのみ前記応答信号を送信し、
前記第１の無線通信リソースと互いに重複しないで設けられる第２の無線通信リソースにおいては、前記第２の無線通信ネットワーク識別子に対応する無線通信リソースにおいてのみ前記応答信号を送信する、請求項１５に記載の通信装置。
【請求項１７】
前記他の通信装置から受信される信号は、前記第１の無線通信リソースにおける前記第１の無線通信ネットワーク識別子に対応する無線通信リソースにおいて前記他の通信装置から受信される前記応答信号を含む、請求項１６に記載の通信装置。
【請求項１８】
前記応答信号は、前記応答信号が送信される無線通信リソースに対応する前記無線通信ネットワーク識別子を有する、請求項１３に記載の通信装置。
【請求項１９】
プロセッサを用いて、
物理層で識別される無線通信ネットワーク識別子の要求信号を送信することと、
前記要求信号の送信後に、前記無線通信ネットワーク識別子に対応する無線通信リソースにおいて応答信号を受信することと、
を含む、通信方法。
【請求項２０】
プロセッサを用いて、
物理層で識別される無線通信ネットワーク識別子の要求信号を受信することと、
前記要求信号の受信後に、前記無線通信ネットワーク識別子に対応する無線通信リソースにおいて応答信号を送信することと、
を含む、通信方法。
【発明の詳細な説明】
【技術分野】
【０００１】
本開示は、通信装置および通信方法に関する。
【背景技術】
【０００２】
近年、ＩＥＥＥ（Institute  of  Electrical  and  Electronics  Engineers）８０２．１１に代表される無線ＬＡＮ（Local  Area  Network）の普及が進んでいる。また、それに伴って無線ＬＡＮ対応製品も増加している。ここで、無線ＬＡＮ対応製品の多くは携帯通信端末である。当該携帯通信端末は、外部から電力供給を受ける機会が限られているため、電力消費が抑制されることが望まれる。
【０００３】
例えば、特許文献１では、通信先となる無線通信ネットワークを識別する情報（以下、無線ネットワーク識別子とも称する。）をＰＬＣＰ（Physical  Layer  Convergence  Protocol）ヘッダに格納することにより、ＳＴＡ（Station）として動作する通信装置（以下、単にＳＴＡとも称する。）の消費電力を低減する方法に係る発明が開示されている。具体的には、ＰＬＣＰヘッダにＢＳＳＩＤ（Basic  Service  Set  Identifier）などから形成される部分識別子が格納される。当該ＰＬＣＰヘッダを受信したＳＴＡは、部分識別子が自己（当該ＳＴＡ）の属するＢＳＳ（以下、自己のＢＳＳとも称する。）に係るＢＳＳＩＤの部分識別子以外を示す場合に、当該ＰＬＣＰヘッダの後続を受信することなく自己をスリープさせる。これにより、ＳＴＡの消費電力が低減されると考えられる。
【先行技術文献】
【特許文献】
【０００４】
【特許文献１】特許第５７７４１６９号公報
【発明の概要】
【発明が解決しようとする課題】
【０００５】
しかし、特許文献１で開示される発明では、無線通信ネットワーク識別子が複数の無線通信ネットワーク間で重複する場合、上記消費電力の低減効果が低下する場合がある。例えば、上記ＢＳＳＩＤまたは上記部分識別子が複数のＢＳＳ間で重複する場合、ＰＬＣＰヘッダの後続の受信が意図されるＳＴＡの属するＢＳＳと異なるＢＳＳに属するＳＴＡがスリープせずにＰＬＣＰヘッダの後続を受信する可能性がある。従って、無線通信ネットワークを識別する情報の重複は回避されることが望ましい。他方で、当該重複の回避のために通信が頻繁に発生し、無線通信リソースが圧迫されることは好ましくない。
【０００６】
そこで、本開示では、無線通信リソースの利用効率の低下を抑制しながら無線通信ネットワーク識別子の重複を回避することが可能な仕組みを提案する。
【課題を解決するための手段】
【０００７】
本開示によれば、物理層で識別される無線通信ネットワーク識別子の要求信号を送信し、前記要求信号の送信後に、前記無線通信ネットワーク識別子に対応する無線通信リソースにおいて応答信号を受信する通信部を備える、通信装置が提供される。
【０００８】
また、本開示によれば、物理層で識別される無線通信ネットワーク識別子の要求信号を受信し、前記要求信号の受信後に、前記無線通信ネットワーク識別子に対応する無線通信リソースにおいて応答信号を送信する通信部を備える、通信装置が提供される。
【０００９】
本開示によれば、プロセッサを用いて、物理層で識別される無線通信ネットワーク識別子の要求信号を送信することと、前記要求信号の送信後に、前記無線通信ネットワーク識別子に対応する無線通信リソースにおいて応答信号を受信することと、を含む、通信方法が提供される。
【００１０】
また、本開示によれば、プロセッサを用いて、物理層で識別される無線通信ネットワーク識別子の要求信号を受信することと、前記要求信号の受信後に、前記無線通信ネットワーク識別子に対応する無線通信リソースにおいて応答信号を送信することと、を含む、通信方法が提供される。
【発明の効果】
【００１１】
以上説明したように本開示によれば、無線通信リソースの利用効率の低下を抑制しながら無線通信ネットワーク識別子の重複を回避することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の各実施形態に係る通信装置の概要を説明するための図である。
【図２】本開示の各実施形態に係る通信装置の概要を説明するための図である。
【図３】本開示の各実施形態に係る通信装置の概要を説明するための図である。
【図４】本開示の第１の実施形態に係る通信装置の概略的な機能構成の例を示すブロック図である。
【図５】同実施形態に係る無線通信モジュールの概略的な機能構成の例を示すブロック図である。
【図６】同実施形態に係るＰＲＱのフレーム構成の例を示す図である。
【図７】同実施形態におけるＰＲＱおよびＰＲＳの通信の例を示す図である。
【図８】同実施形態に係るＰＲＳのフレーム構成の例を示す図である。
【図９】同実施形態に係る要求装置の処理を概念的に示すフローチャートである。
【図１０】同実施形態に係る応答装置の処理を概念的に示すフローチャートである。
【図１１】同実施形態に係る要求装置および応答装置によるＰＩＤの設定例を説明するための図である。
【図１２】同実施形態の変形例におけるＰＩＤに対応する周波数におけるＰＲＳの通信の例を示す図である。
【図１３】同実施形態の変形例におけるＰＩＤに対応する符号を用いたＰＲＳの通信の例を示す図である。
【図１４】本開示の第２の実施形態におけるＰＲＱおよびＰＲＳの通信の例を示す図である。
【図１５】同実施形態に係る要求装置の処理を概念的に示すフローチャートである。
【図１６】同実施形態に係る応答装置の処理を概念的に示すフローチャートである。
【図１７】同実施形態に係る要求装置および応答装置によるＰＩＤの設定例を説明するための図である。
【図１８】スマートフォンの概略的な構成の一例を示すブロック図である。
【図１９】カーナビゲーション装置の概略的な構成の一例を示すブロック図である。
【図２０】無線アクセスポイントの概略的な構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なる番号を付して区別する場合もある。例えば、実質的に同一の機能を有する複数の構成を、必要に応じてＳＴＡ２００ＡおよびＳＴＡ２００Ｂなどのように区別する。ただし、実質的に同一の機能構成を区別する必要が無い場合、同一符号のみを付する。例えば、ＳＴＡ２００ＡおよびＳＴＡ２００Ｂを特に区別する必要がない場合には、単にＳＴＡ２００と称する。
【００１５】
なお、説明は以下の順序で行うものとする。
１．概要
２．第１の実施形態（使用中のＰＩＤを要求装置に通知）
２−１．装置の基本構成
２−２．装置の詳細構成
２−３．装置の処理
２−４．動作例
２−５．第１の実施形態のまとめ
２−６．変形例
３．第２の実施形態（使用中のＰＩＤを種類別に要求装置に通知）
３−１．装置の詳細構成
３−２．装置の処理
３−３．動作例
３−４．第１の実施形態のまとめ
４．応用例
５．むすび
【００１６】
＜１．概要＞
まず、図１〜図３を参照して、本開示の各実施形態に係る通信装置の概要について説明する。図１〜図３は、本開示の各実施形態に係る通信装置の概要を説明するための図である。
【００１７】
当該通信システムは、通信装置としてＡＰ１００およびＳＴＡ２００を備え、ＡＰ１００およびＳＴＡ２００の属する無線通信ネットワークが形成される。具体的には、ＡＰ１００は自己の属する無線通信ネットワーク識別子を決定し、通信接続されるＳＴＡ２００に決定される無線通信ネットワーク識別子を通知する。そして、無線通信ネットワーク内の通信装置間では、通知される無線通信ネットワーク識別子を用いた通信が行われる。また、当該無線通信ネットワーク識別子は、物理層で無線通信ネットワーク、例えばＢＳＳが識別される情報である。具体的には、当該無線通信ネットワーク識別子は、ＰＬＣＰヘッダ（ＰＨＹ（Physical  Layer）ヘッダ）に含まれる。このため、当該ＰＬＣＰヘッダを受信する通信装置は、当該ＰＬＣＰヘッダの受信処理の段階で自己が当該ＰＬＣＰヘッダを含むフレームの受信対象であるかを判定することができる。従って、当該フレームの受信対象である通信装置のみがＰＬＣＰヘッダの後続を受信することにより、通信装置の消費電力を低減することが可能である。なお、以下では、当該無線通信ネットワーク識別子をＰＩＤ（ＰＨＹ  ＩＤ：Physical  Layer  Identifier）とも称する。
【００１８】
例えば、図１に示したような、同一のＢＳＳに属するＡＰ１００とＳＴＡ２００Ａおよび２００Ｂとが存在し、通信範囲が他のＢＳＳと重複するＢＳＳ（以下、ＯＢＳＳ（Overlap  BSS）とも称する。）に属するＳＴＡ（以下、ＯＳＴＡ（Overlap  STA）とも称する。）２００Ｃ〜２００Ｈが存在する場合を考える。
【００１９】
ＡＰ１００とＳＴＡ２００Ａおよび２００Ｂとが属するＰＩＤが７（以下、ＰＩＤ（７）とも称する。）のＢＳＳ（以下、ＢＳＳ７とも称する。）と、ＯＳＴＡ２００Ｃおよび２００Ｅ〜２００Ｈのそれぞれの属するＢＳＳ１およびＢＳＳ３〜６とは通信範囲が重複している。例えば、ＡＰ１００とＯＳＴＡ２００Ｃとは互いに通信が可能である。
【００２０】
他方で、ＰＩＤを利用した特定のＢＳＳに属する通信装置を対象とする通信が行われる。例えば、ＰＩＤ（７）を有するＰＬＣＰヘッダがＡＰ１００から送信される。ＳＴＡ２００Ａおよび２００Ｂは、自己のＢＳＳのＰＩＤが７であるため、当該ＰＬＣＰヘッダの後続を受信する。しかし、ＯＳＴＡ２００Ｃは、自己の属するＢＳＳのＰＩＤが１であるため、当該ＰＬＣＰヘッダの後続を受信しない。そのため、ＯＳＴＡ２００Ｃにおいて受信対象でないフレームの受信処理が省略され、消費電力が低減される。
【００２１】
しかし、ＰＩＤが複数のＢＳＳ間で重複する場合、受信対象である通信装置以外の通信装置においてもＰＬＣＰヘッダの後続の受信処理が行われてしまう。例えば、ＯＳＴＡ２００Ｃの属するＢＳＳのＰＩＤが７である場合、上述と同様にＡＰ１００からＰＩＤ（７）を有するＰＬＣＰヘッダが送信されたときには、ＯＳＴＡ２００Ｃにおいて当該ＰＣＬＰヘッダの後続の受信処理が実行されてしまう。その結果、本来の受信対象でないＯＳＴＡ２００Ｃでは、上記受信処理により得られるＰＬＣＰヘッダの後続の情報が破棄されたり、当該情報に基づいてＮＡＶ（Network  Allocation  Vector）が設定されるなどの誤作動が発生したりする。特に、ＮＡＶが不適切に設定されることにより、ＯＳＴＡ２００Ｃの送信機会が減少することになる。そのため、ＰＩＤの重複は回避されることが望ましい。
【００２２】
このようなＰＩＤの重複回避のためには、既に他のＢＳＳで使用されているＰＩＤを把握することが要される。そのため、他のＢＳＳで使用されているＰＩＤを把握可能な情報を収集することが考えられる。一例として、プローブリクエストおよびプローブレスポンスの交換といったフレーム交換を利用したＰＩＤの収集が考えられる。しかし、この場合、ＡＰからＰＩＤの収集対象であるＳＴＡの各々とフレーム交換を行うことを要する。そのため、ＳＴＡの数が増加するとＰＩＤの収集にかかる時間および伝送路などの無線通信リソースが増大する。このように、当該情報の収集にあたり、無線通信リソースが浪費されることは好ましくない。
【００２３】
また、使用中のＰＩＤを把握するための方法の他の例としては、通信されているフレームを受信し、当該フレームのＰＬＣＰヘッダなどからＰＩＤを取得することが考えられる。しかし、この場合、ＰＩＤが収集されるかどうかは不確定となる。そのため、フレーム交換の場合と比べてＰＩＤの重複回避の確実性が低下する。
【００２４】
そこで、本開示の各実施形態では、物理層で識別される無線通信ネットワーク識別子の要求信号を送信し、要求信号の送信後に、無線通信ネットワーク識別子に対応する無線通信リソースにおいて応答信号を受信する通信装置（以下、要求装置とも称する。）が提供される。また、上記要求信号を受信し、要求信号の受信後に、上記無線通信ネットワーク識別子に対応する無線通信リソースにおいて応答信号を送信する通信装置２００（以下、応答装置とも称する。）も提供される。さらに、図２および図３を参照して要求装置および応答装置の動作例を説明する。
【００２５】
例えば、要求装置としてＡＰ１００が動作し、応答装置としてＳＴＡ２００Ａ、２００ＢおよびＯＳＴＡ２００Ｃが動作する場合を考える。
【００２６】
ＡＰ１００は、ＰＩＤが未設定である場合において、ＰＩＤ通知要求（ＰＲＱ：PID  Notify  Request）を周辺の通信装置に送信する。例えば、図２に示したように、ＡＰ１００は、ＳＴＡ２００Ａ、２００ＢおよびＯＳＴＡ２００ＣにＰＲＱを送信する。
【００２７】
これに対し、ＳＴＡ２００Ａ、２００ＢおよびＯＳＴＡ２００Ｃは、ＰＩＤ通知応答（ＰＲＳ：PID  Notify  Response）をＡＰ１００に送信する。例えば、図３に示したように、ＳＴＡ２００Ａ、２００ＢおよびＯＳＴＡ２００Ｃは、それぞれ自己のＢＳＳおよび当該自己のＢＳＳに隣接するＢＳＳのＰＩＤを通知するＰＲＳをＡＰ１００に送信する。このとき、当該ＰＲＳは、例えば通知対象のＰＩＤに対応するタイミングで送信される。そのため、例えばＰＩＤ（４）に対応するタイミングでＳＴＡ２００Ａおよび２００Ｂの各々からそれぞれＰＲＳが送信される。
【００２８】
このように、要求装置は、上記ＰＲＱを送信し、当該ＰＲＱの送信後に、ＰＩＤに対応する無線通信リソースにおいてＰＲＳを受信する。また、応答装置は、上記ＰＲＱを受信し、当該ＰＲＱの受信後に、上記ＰＩＤに対応する無線通信リソースにおいてＰＲＳを送信する。このため、ＰＲＳが受信される無線通信リソースから使用中のＰＩＤが特定されることにより、ＰＩＤそのものが通信される場合と比べて、無線通信リソースの使用量を低減することができる。従って、無線通信リソースの利用効率の低下を抑制しながら無線通信ネットワーク識別子の重複を回避することが可能となる。以下、当該要求装置として動作するＡＰ１００および当該応答装置として動作するＳＴＡ（ＯＳＴＡ）２００についてそれぞれ詳細に説明する。なお、説明の便宜上、第１および第２の実施形態に係るＡＰ１００を、ＡＰ１００−１およびＡＰ１００−２のように、末尾に実施形態に対応する番号を付することにより区別する。なお、これはＳＴＡ（ＯＳＴＡ）２００についても同様である。
【００２９】
＜２．第１の実施形態（使用中のＰＩＤを要求装置に通知）＞
以上、本開示の各実施形態に係る通信装置の概要について説明した。次に、本開示の第１の実施形態について説明する。
【００３０】
＜２−１．装置の基本構成＞
まず、図４を参照して、要求装置として動作するＡＰ１００−１および応答装置として動作するＳＴＡ２００−１（以下、通信装置１００−１（２００−１）とも称する。）の基本的な機能構成について説明する。図４は、本開示の第１の実施形態に係る通信装置１００−１（２００−１）の概略的な機能構成の例を示すブロック図である。
【００３１】
通信装置１００−１（２００−１）は、図４に示したように、無線通信モジュール１０１（２０１）、有線通信モジュール１０２（２０２）、機器制御部１０３（２０３）、情報入力部１０４（２０４）および情報出力部１０５（２０５）を備える。
【００３２】
無線通信モジュール１０１（２０１）は、他の通信装置との無線通信を行う。具体的には、無線通信モジュール１０１（２０１）は、機器制御部１０３（２０３）から得られるデータを送信し、受信されるデータを機器制御部１０３（２０３）に提供する。詳細については後述する。
【００３３】
有線通信モジュール１０２（２０２）は、有線を介して外部の装置と通信を行う。具体的には、有線通信モジュール１０２（２０２）は、インターネットと接続され、インターネットを介して外部の装置と通信を行う。例えば、有線通信モジュール１０２（２０２）は、無線通信モジュール１０１（２０１）が通信により取得したデータを外部の装置にインターネットを介して送信する。
【００３４】
機器制御部１０３（２０３）は、通信装置１００−１（２００−１）の動作を全体的に制御する。具体的には、機器制御部１０３（２０３）は、無線通信モジュール１０１（２０１）および有線通信モジュール１０２（２０２）の通信を制御する。例えば、機器制御部１０３（２０３）は、情報入力部１０４（２０４）から得られるデータを無線通信モジュール１０１（２０１）または有線通信モジュール１０２（２０２）に送信させる。また、機器制御部１０３（２０３）は、無線通信モジュール１０１（２０１）または有線通信モジュール１０２（２０２）の通信により得られるデータを情報出力部１０５（２０５）に出力させる。
【００３５】
情報入力部１０４（２０４）は、通信装置１００−１（２００−１）の外部からの入力を受け付ける。具体的には、情報入力部１０４（２０４）は、ユーザ入力またはセンサから得られる情報を受け付ける。例えば、情報入力部１０４（２０４）は、キーボードもしくはタッチパネル等の入力装置またはセンサ等の検出装置である。
【００３６】
情報出力部１０５（２０５）は、データを出力する。具体的には、情報出力部１０５（２０５）は、機器制御部１０３（２０３）から指示されるデータを出力する。例えば、情報出力部１０５（２０５）は、画像情報に基づき画像を出力するディスプレイまたは音声情報に基づき音声もしくは音楽を出力するスピーカ等である。
【００３７】
なお、上記構成のうちの有線通信モジュール１０２（２０２）、情報入力部１０４（２０４）および情報出力部１０５（２０５）は通信装置１００−１（２００−１）に含まれなくてもよい。
【００３８】
（無線通信モジュールの構成）
続いて、図５を参照して、無線通信モジュール１０１（２０１）の機能構成について説明する。図５は、本開示の第１の実施形態に係る無線通信モジュール１０１（２０１）の概略的な機能構成の例を示すブロック図である。
【００３９】
無線通信モジュール１０１（２０１）は、図５に示したように、通信部として、データ処理部１１０（２１０）、制御部１２０（２２０）および無線通信部１３０（２３０）を備える。
【００４０】
（１．データ処理部）
データ処理部１１０（２１０）は、図５に示したように、インタフェース部１１１、送信バッファ１１２、送信フレーム構築部１１３、受信フレーム解析部１１４および受信バッファ１１５を備える。
【００４１】
インタフェース部１１１は、通信装置１００−１（２００−１）に備えられる他の機能構成と接続されるインタフェースである。具体的には、インタフェース部１１１は、当該他の機能構成、例えば機器制御部１０３（２０３）からの伝送が所望されるデータの受け取り、または当該機器制御部１０３（２０３）への受信データの提供等を行う。
【００４２】
送信バッファ１１２は、送信されるデータを格納する。具体的には、送信バッファ１１２は、インタフェース部１１１によって得られたデータを格納する。
【００４３】
送信フレーム構築部１１３は、送信されるフレームを生成する。具体的には、送信フレーム構築部１１３は、送信バッファ１１２に格納されるデータまたは制御部１２０（２２０）によって設定される制御情報に基づいてフレームを生成する。例えば、送信フレーム構築部１１３は、送信バッファ１１２から取得されるデータからフレーム（パケット）を生成し、生成されるフレームにメディアアクセス制御（ＭＡＣ）のためのＭＡＣヘッダの付加および誤り検出符号の付加等の処理を行う。
【００４４】
受信フレーム解析部１１４は、受信されたフレームの解析を行う。具体的には、受信フレーム解析部１１４は、無線通信部１３０（２３０）によって受信されたフレームの宛先の判定および当該フレームに含まれるデータまたは制御情報の取得を行う。例えば、受信フレーム解析部１１４は、受信されるフレームについて、ＭＡＣヘッダの解析、符号誤りの検出および訂正、ならびにリオーダ処理等を行うことにより当該受信されるフレームに含まれるデータ等を取得する。
【００４５】
受信バッファ１１５は、受信されたデータを格納する。具体的には、受信バッファ１１５は、受信フレーム解析部１１４によって取得されたデータを格納する。
【００４６】
（２．制御部）
制御部１２０（２２０）は、図５に示したように、動作制御部１２１および信号制御部１２２を備える。
【００４７】
動作制御部１２１は、データ処理部１１０（２１０）の動作を制御する。具体的には、動作制御部１２１は、通信の発生を制御する。例えば、動作制御部１２１は、通信の接続要求が発生すると、アソシエーション処理またはオーセンティケーション処理といった接続処理または認証処理に係るフレームをデータ処理部１１０（２１０）に生成させる。
【００４８】
また、動作制御部１２１は、送信バッファ１１２におけるデータの格納状況または受信フレームの解析結果等に基づいてフレーム生成を制御する。例えば、動作制御部１２１は、送信バッファ１１２にデータが格納されている場合、当該データが格納されるデータフレームの生成を送信フレーム構築部１１３に指示する。また、動作制御部１２１は、受信フレーム解析部１１４によってフレームの受信が確認された場合、受信されたフレームへの応答となる確認応答フレームの生成を送信フレーム構築部１１３に指示する。
【００４９】
信号制御部１２２は、無線通信部１３０（２３０）の動作を制御する。具体的には、信号制御部１２２は、無線通信部１３０（２３０）の送受信処理を制御する。例えば、信号制御部１２２は、動作制御部１２１の指示に基づいて送信および受信のためのパラメタを無線通信部１３０（２３０）に設定させる。
【００５０】
なお、ＰＩＤなどの無線通信ネットワークに関する情報は、制御部１２０（２２０）によって管理される。例えば、制御部１２０（２２０）は、自己のＢＳＳおよび当該自己のＢＳＳと異なる他のＢＳＳのＣＯＬＯＲ情報などのＢＳＳ情報を管理する。
【００５１】
（３．無線通信部）
無線通信部１３０（２３０）は、図５に示したように、送信処理部１３１、受信処理部１３２およびアンテナ制御部１３３を備える。
【００５２】
送信処理部１３１は、フレームの送信処理を行う。具体的には、送信処理部１３１は、送信フレーム構築部１１３から提供されるフレームに基づいて、送信される信号を生成する。より具体的には、送信処理部１３１は、信号制御部１２２からの指示により設定されるパラメタに基づいてフレームに係る信号を生成する。例えば、送信処理部１３１は、データ処理部１１０（２１０）から提供されるフレームについて、制御部１２０（２２０）によって指示されるコーディングおよび変調方式等に従って、エンコード、インタリーブおよび変調を行うことによりシンボルストリームを生成する。また、送信処理部１３１は、前段の処理によって得られるシンボルストリームに係る信号を、アナログ信号に変換し、増幅し、フィルタリングし、および周波数アップコンバートする。
【００５３】
なお、送信処理部１３１は、フレームの多重化処理を行ってもよい。具体的には、送信処理部１３１は、時分割多重化、符号分割多重化、周波数分割多重化または空間分割多重化に係る処理を行う。
【００５４】
受信処理部１３２は、フレームの受信処理を行う。具体的には、受信処理部１３２は、アンテナ制御部１３３から提供される信号に基づいてフレームの復元を行う。例えば、受信処理部１３２は、アンテナから得られる信号について、信号送信の際と逆の処理、例えば周波数ダウンコンバートおよびデジタル信号変換等を行うことによりシンボルストリームを取得する。また、受信処理部１３２は、前段の処理によって得られるシンボルストリームについて、復調およびデコード等を行うことによりフレームを取得し、取得されるフレームをデータ処理部１１０（２１０）または制御部１２０（２２０）に提供する。
【００５５】
なお、受信処理部１３２は、多重化フレームの分離に係る処理を行ってもよい。具体的には、受信処理部１３２は、時分割多重化、符号分割多重化、周波数分割多重化または空間分割多重化されたフレームの分離に係る処理を行う。
【００５６】
また、受信処理部１３２は、チャネル利得を推定してもよい。具体的には、受信処理部１３２は、アンテナ制御部１３３から得られる信号のうちの、プリアンブル部分またはトレーニング信号部分から複素チャネル利得情報を算出する。なお、算出される複素チャネル利得情報は、フレーム多重化に係る処理およびフレーム分離処理等に利用される。
【００５７】
アンテナ制御部１３３は、少なくとも１つのアンテナを介して信号の送受信を行う。具体的には、アンテナ制御部１３３は、アンテナを介して送信処理部１３１によって生成される信号を送信し、アンテナを介して受信される信号を受信処理部１３２に提供する。また、アンテナ制御部１３３は、空間分割多重化に係る制御を行ってもよい。
【００５８】
なお、ＰＩＤなどを含むＰＬＣＰヘッダの送受信処理は、無線通信部１３０（２３０）によって行われる。処理の詳細については後述する。
【００５９】
＜２−２．装置の詳細構成＞
次に、本実施形態に係る通信装置１００−１（２００−１）の機能詳細について説明する。以下では、ＰＩＤの通知を要求する要求装置として動作するＡＰ１００−１およびＰＩＤの通知を応答する応答装置として動作するＳＴＡ２００−１またはＯＳＴＡ２００−１（以下、単にＳＴＡ２００−１とも称する。）に分けて機能をそれぞれ説明する。
【００６０】
（Ａ．要求装置の機能）
まず、要求装置として動作するＡＰ１００−１の機能について説明する。
【００６１】
（Ａ−１．ＰＲＱの送信）
ＡＰ１００−１は、ＰＩＤの要求信号としてのＰＲＱを送信する。具体的には、制御部１２０は、ＰＩＤの設定要求が発生すると、データ処理部１１０にＰＲＱを生成させる。そして、無線通信部１３０は、生成されるＰＲＱを送信する。例えば、ＰＩＤはＢＳＳのＣＯＬＯＲ情報である。制御部１２０は、ＡＰ１００−１の属するＢＳＳの形成が要求され、ＣＯＬＯＲ情報を決定する場合に、データ処理部１１０にＰＲＱの生成を指示する。
【００６２】
また、ＰＲＱは、ＰＩＤとＰＲＳの送信に用いられる無線通信リソースとの対応関係が特定される対応関係情報を有する。具体的には、対応関係情報は、無線通信リソースのＰＩＤに応じた区切りの数である。例えば、ＰＲＱは、対応関係情報を含むＰＲＳの送信を制御するための情報（以下、ＰＲＳ送信パラメタとも称する。）を有する。当該対応関係情報としては、ＰＲＳが送信される時間スロットの数がある。そして、ＰＩＤの時間スロットについての並び順が既知である場合には、時間スロットの各々とＰＩＤの各々とは対応することになる。従って、基本的には時間スロットの数は設定可能なＰＩＤの数に対応する。なお、ＰＲＳの通信において利用可能な無線通信リソースは変動することもあるため、設定される時間スロット全てが利用されなくてもよい。例えば、制御部１２０は、時間スロットの数のうちの自己で受信可能な期間に応じた時間スロットの数を示す情報をＰＲＳに格納させてもよい。
【００６３】
さらに、図６を参照して、ＰＲＱについて詳細に説明する。図６は、本実施形態に係るＰＲＱのフレーム構成の例を示す図である。ＰＲＱのフレーム構成は、図６に示したように、Frame  Control、Duration、Address1、Address2、PID  Notify  Request  ControlおよびFCS（Frame  Check  Sequence）といったフィールドを有する。Frame  Controlフィールドには当該フレームがＰＲＱであることを示す情報が格納され、DurationフィールドにはＰＲＱに対応するＰＲＳの送信期間が特定される情報が格納される。Address1フィールドには自己のＭＡＣアドレスが格納され、Address2フィールドにはブロードキャストアドレスが格納される。さらに、PID  Notify  Request  Controlフィールドは、ＰＲＳ送信パラメタが格納されるNumber  of  SlotsおよびUsed  Slotsといったフィールドを有する。Number  of  Slotsフィールドには、時間スロットの数を示す情報が格納され、Used  Slotsフィールドには、自己で受信可能な期間に応じた時間スロットの数を示す情報が格納される。
【００６４】
なお、上記では対応関係情報はＰＩＤに応じた区切りの数である例を説明したが、対応関係情報は当該区切りの間隔であってもよい。例えば、対応関係情報は、各時間スロットの幅であってもよい。この場合、ＰＲＳの送信期間が既知であるときには、時間スロットの幅から当該時間スロット数が決まる。
【００６５】
また、上記ではＰＲＱは制御フレームである例を説明したが、ＰＲＱは他の種類のフレームであってもよい。例えば、ＰＲＱは、管理フレームまたはデータフレームなどであってもよい。また、上記ではＰＲＱはフレームである例を説明したが、ＰＲＱはフレーム以外の信号であってもよい。例えば、上記ＰＲＳ送信パラメタが応答装置すなわちＳＴＡ２００−１にとって既知である場合には、トレーニング信号または他の所定のパターンの信号がＰＲＱとして送信されてもよい。
【００６６】
（Ａ−２．ＰＲＳの受信）
ＡＰ１００−１は、ＰＲＱの送信後に、ＰＩＤに対応する無線通信リソースにおいて応答信号としてのＰＲＳを受信する。具体的には、ＡＰ１００−１は、ＰＲＳの送信元の属するＢＳＳにおいて使用されているＰＩＤに対応する無線通信リソースにおいてＰＲＳを受信する。また、ＡＰ１００−１は、ＰＲＳの送信元の属するＢＳＳに隣接するＢＳＳにおいて使用されているＰＩＤに対応する無線通信リソースにおいてＰＲＳを受信する。なお、無線通信リソースは時間を含む。さらに、図７を参照して、ＰＲＳの受信について詳細に説明する。図７は、本実施形態におけるＰＲＱおよびＰＲＳの通信の例を示す図である。
【００６７】
まず、ＡＰ１００−１は、ＰＲＱの送信後、ＰＲＳを待ち受ける。例えば、無線通信部１３０は、ＰＲＱの送信からＳＩＦＳ（Short  Inter  Frame  Space）などの所定の時間が経過した後の設定される時間スロットの数に相当する期間、すなわちＰＲＳ送信期間の到来まで待機する。
【００６８】
次に、ＡＰ１００−１は、ＰＩＤに対応する無線通信リソースにおいてＰＲＳを受信する。例えば、時間スロットは、図７に示したようにＳ＿１〜Ｓ＿ｎまで設定され、当該時間スロットの単位でＰＲＳが受信される。
【００６９】
ＰＲＳが受信されると、ＡＰ１００−１は、ＰＲＳの通信に用いられた無線通信リソースに対応するＰＩＤを特定し、特定されるＰＩＤを記憶する。例えば、ＰＲＳ送信期間が到来し、時間スロットＳ＿１においてＰＲＳ１が無線通信部１３０によって受信されると、制御部１２０は、受信された時間に相当する時間スロットに対応するＰＩＤ（１）を特定する。そして、制御部１２０は、特定されたＰＩＤ（１）を記憶する。
【００７０】
ここで、ＰＲＳの通信に用いられる無線通信リソースに応じたＰＩＤは、当該ＰＲＳの送信元のＢＳＳのＰＩＤまたは当該送信元のＢＳＳと隣接するＢＳＳのＰＩＤである。言い換えれば、ＰＲＳの送信元の属するＢＳＳのＰＩＤに基づくＰＲＳ（以下、直接ＰＲＳとも称する。）またはＰＲＳの送信元の属するＢＳＳに隣接するＢＳＳのＰＩＤに基づくＰＲＳ（以下、間接ＰＲＳとも称する。）が受信される。例えば、図７においてドット模様で示されるＯＳＴＡ２００−１Ｃから受信されるＰＲＳ１は、ＯＳＴＡ２００−１Ｃの属するＢＳＳのＰＩＤに基づく直接ＰＲＳとして送信される。他方で、ＳＴＡ２００−１Ｂから受信されるＰＲＳ１は、ＳＴＡ２００−１Ｂの属するＢＳＳに隣接するＢＳＳのＰＩＤに基づく間接ＰＲＳとして送信される。
【００７１】
また、ＰＲＳは、時間について多重化される。例えば、ＳＴＡ２００−１Ａでは、図７に示したように、複数のＰＲＳ４〜ＰＲＳ６が対応する時間スロットＳ＿４〜Ｓ＿６でそれぞれ送信されることにより、当該ＰＲＳ４〜ＰＲＳ６は時間的に直交し、時分割多元的にＡＰ１００−１に送信されている。
【００７２】
なお、図７の例では、直接ＰＲＳと間接ＰＲＳとが混在する例を説明したが、直接ＰＲＳのみまたは間接ＰＲＳのみが受信されてもよい。
【００７３】
また、ＡＰ１００−１は、受信信号強度が閾値以上であるＰＲＳを受信する。具体的には、無線通信部１３０は、受信信号強度が予め設定される閾値以上であるＰＲＳのみを受信する。なお、当該閾値は事後的に変更されてもよい。
【００７４】
また、ＰＲＳは、ＰＩＤを示す情報を有していてもよい。具体的には、ＰＲＳは、当該ＰＲＳが送信される無線通信リソースに対応するＰＩＤを示す情報を含んでもよい。さらに、図８を参照して、ＰＲＳについて詳細に説明する。図８は、本実施形態に係るＰＲＳのフレーム構成の例を示す図である。
【００７５】
ＰＲＳのフレーム構成は、図８に示したように、Frame  Control、Duration、PIDおよびFCSといったフィールドを有する。なお、PIDフィールドには、ＰＲＳが送信される時間スロットに対応するＰＩＤを示す情報が格納される。このため、どのＳＴＡ２００−１から送信されるＰＲＳであっても、また直接ＰＲＳまたは間接ＰＲＳを問わず、同じ時間スロットで受信されるＰＲＳの内容は同一となる。従って、複数のＰＲＳが送信される場合であっても、当該複数のＰＲＳのうちの少なくとも１つが受信されればよい。
【００７６】
なお、上記ではＰＲＳは制御フレームである例を説明したが、ＰＲＱと同様に、ＰＲＳは他の種類のフレームであってもよい。また、上記ではＰＲＳはフレームである例を説明したが、ＰＲＱと同様に、ＰＲＳはフレーム以外の信号であってもよい。この場合、複数のＰＲＳが同じ時間スロットにおいて送信され、信号の衝突により信号が復号困難となるときでも、当該時間スロットにおいて信号が受信されたことをもって要求装置は使用中のＰＩＤを把握することができる。なお、上述したように、当該信号の受信信号強度が閾値以上であることが要されてもよい。
【００７７】
（Ａ−３．ＰＩＤの決定）
ＡＰ１００−１は、ＰＲＳの受信に基づいてＰＩＤを決定する。具体的には、制御部１２０は、ＰＲＳが受信された時間スロットに対応するＰＩＤ以外のＰＩＤを自己の属する無線通信ネットワークのＰＩＤに決定する。より具体的には、ＰＲＳが受信された時間スロットに対応するＰＩＤが記憶されているため、制御部１２０は、設定可能な全てのＰＩＤのうちの記憶されたＰＩＤと異なるＰＩＤを自己のＢＳＳにおいて使用される、第１のＰＩＤとしてのＰＩＤ（以下、自己のＰＩＤとも称する。）として決定する。例えば、図７に示したようにＰＲＳ１〜ＰＲＳ６が受信されているため、制御部１２０は、当該ＰＲＳ１〜ＰＲＳ６に対応するＰＩＤ（１）〜（６）以外のＰＩＤ、例えばＰＩＤ（７）を自己のＰＩＤとして決定する。
【００７８】
（Ｂ．応答装置の機能）
続いて、応答装置として動作するＳＴＡ２００−１（ＯＳＴＡ２００−１）の機能について説明する。
【００７９】
（Ｂ−１．ＰＩＤの収集）
ＳＴＡ２００−１は、自己周辺のＢＳＳのＰＩＤを収集する。具体的には、無線通信部２３０は、他の通信装置からＰＩＤを有する信号を受信し、受信される信号からＰＩＤを取得する。そして、制御部２２０は、取得されるＰＩＤを自己のＢＳＳに隣接するＢＳＳにおいて使用される、第２のＰＩＤとしてのＰＩＤ（以下、隣接ＰＩＤとも称する。）として記憶する。
【００８０】
また、ＳＴＡ２００−１は、他のＳＴＡ２００−１から送信されるＰＲＳに基づいてＰＩＤを収集してもよい。具体的には、制御部２２０は、ＰＲＳの送信期間中に他のＳＴＡ２００−１からＰＲＳが受信されると、当該ＰＲＳの受信に用いられた無線通信リソースに対応するＰＩＤを隣接ＰＩＤとして記憶する。例えば、制御部２２０は、ＰＲＳが受信された時間スロットに対応するＰＩＤを隣接ＰＩＤとして記憶する。
【００８１】
（Ｂ−２．ＰＲＱの受信）
ＳＴＡ２００−１は、要求信号としてのＰＲＱを受信する。具体的には、無線通信部２３０は、ＡＰ１００−１から送信されるＰＲＱの受信を待ち受ける。そして、無線通信部２３０によりＰＲＱが受信されると、データ処理部２１０は、受信されたＰＲＱからＰＲＳ送信パラメタを取得し、取得されるＰＲＳ送信パラメタを制御部２２０に提供する。
【００８２】
（Ｂ−３．ＰＲＳの送信）
ＳＴＡ２００−１は、ＰＲＱの受信後に、ＰＩＤに対応する無線通信リソースにおいて応答信号としてのＰＲＳを送信する。具体的には、ＳＴＡ２００−１は、自己の属するＢＳＳにおいて使用されているＰＩＤに対応する無線通信リソースにおいてＰＲＳを送信する。また、ＳＴＡ２００−１は、記憶されている隣接ＰＩＤに対応する無線通信リソースにおいてＰＲＳを送信する。さらに、図７を参照して、ＰＲＳの送信について詳細に説明する。
【００８３】
例えば、図７におけるＯＳＴＡ２００−１Ｃの動作について説明する。ＯＳＴＡ２００−１Ｃは、ＰＲＱが受信されると、当該ＰＲＱから得られるＰＲＳ送信パラメタに基づいてＰＲＳの送信を準備する。具体的には、制御部２２０は、ＰＲＳ送信パラメタに基づいてＰＲＳの送信期間および時間スロットを設定する。例えば、制御部２２０は、ＰＲＳ送信期間を時間スロットの数に応じて区切り、時間スロットＳ＿１〜Ｓ＿ｎの各単位でＰＲＳが送信可能なようにデータ処理部２１０および無線通信部２３０に待ち受けさせる。
【００８４】
ＯＳＴＡ２００−１Ｃは、自己のＰＩＤに対応する時間スロットが到来した場合、当該時間スロットでＰＲＳを送信する。例えば、制御部２２０は、各時間スロットが到来する度に、到来した時間スロットが自己のＰＩＤ（１）に対応する時間スロットであるかを判定する。そして、自己のＰＩＤ（１）に対応する時間スロットＳ＿１が到来したと判定される場合、制御部２２０は、自己のＰＩＤ（１）を示す情報を有するＰＲＳ１をデータ処理部２１０に生成させ、図７に示したように、生成されるＰＲＳ１が無線通信部１３０によって当該時間スロットＳ＿１内で送信される。
【００８５】
また、ＯＳＴＡ２００−１Ｃは、記憶されている隣接ＰＩＤに対応する時間スロットが到来した場合、当該時間スロットでＰＲＳを送信する。例えば、制御部２２０は、各時間スロットが到来する度に、到来した時間スロットが記憶されている隣接ＰＩＤ（２）に対応する時間スロットであるかを判定する。そして、隣接ＰＩＤ（２）に対応する時間スロットＳ＿２が到来したと判定される場合、制御部２２０は、隣接ＰＩＤ（２）を示す情報を有するＰＲＳ２をデータ処理部２１０に生成させ、図７に示したように、生成されるＰＲＳ２が無線通信部１３０によって当該時間スロットＳ＿２内で送信される。
【００８６】
＜２−３．装置の処理＞
次に、本実施形態に係る通信装置１００−１（２００−１）の処理について説明する。
【００８７】
（Ａ．要求装置の処理）
まず、図９を参照して、要求装置として動作するＡＰ１００−１の処理について説明する。図９は、本実施形態に係る要求装置の処理を概念的に示すフローチャートである。
【００８８】
ＡＰ１００−１は、ＰＩＤの設定要求の発生有無を判定する（ステップＳ３０１）。具体的には、制御部１２０は、ＰＩＤの設定が自己の他の構成または外部装置から要求されたかを判定する。
【００８９】
ＰＩＤの設定要求が発生すると、ＡＰ１００−１は、ＰＩＤ設定範囲情報を取得する（ステップＳ３０２）。具体的には、制御部１２０は、ＰＩＤの設定要求が発生したと判定されると、設定可能なＰＩＤが特定されるＰＩＤ設定範囲情報を取得する。
【００９０】
次に、ＡＰ１００−１は、ＰＲＳ送信期間についての時間スロットを決定する（ステップＳ３０３）。具体的には、制御部１２０は、取得されるＰＩＤ設定範囲情報に基づいてＰＲＳ送信期間の時間スロット数などを決定する。決定された時間スロット数などを示す情報は、ＰＲＳ送信パラメタとしてＰＲＱに格納される。
【００９１】
次に、ＡＰ１００−１は、周辺装置の動作状況を確認する（ステップＳ３０４）。具体的には、制御部１２０は、周辺のＳＴＡ２００−１またはＯＳＴＡ２００−１が動作中であるか、すなわちスリープしていないかを判定する。なお、当該動作状況の確認は、これまでの通信履歴などから推定されてもよい。
【００９２】
次に、ＡＰ１００−１は、無線伝送路の利用可否を判定する（ステップＳ３０５）。具体的には、無線通信部１３０は、キャリアセンス処理等を行うことにより無線伝送路が利用可能であるかを判定する。
【００９３】
無線伝送路が利用可能であると判定されると、ＡＰ１００−１は、ＰＲＱを送信する（ステップＳ３０６）。具体的には、無線伝送路が利用可能であると判定されると、無線通信部１３０は、制御部１２０の指示に基づいてデータ処理部１１０が生成したＰＲＱを送信する。
【００９４】
次に、ＡＰ１００−１は、ＰＲＳ送信期間内であるかを判定する（ステップＳ３０７）。具体的には、無線通信部１３０は、ＰＲＱの送信後、ＰＲＳ送信期間が到来するまで待機する。
【００９５】
ＰＲＳ送信期間内では、ＡＰ１００−１は、ＰＲＳの受信を待ち受ける（ステップＳ３０８）。具体的には、無線通信部１３０は、ＰＲＳ送信期間内で、ＰＲＳが受信可能なように待機する。
【００９６】
ＰＲＳが受信されると、ＡＰ１００−１は、現時点の時間スロットに対応するＰＩＤを記憶する（ステップＳ３０９）。具体的には、無線通信部１３０によりＰＲＳが受信されると、制御部１２０は、当該ＰＲＳが受信された時間スロットに対応するＰＩＤを特定し、特定されるＰＩＤを記憶する。
【００９７】
ＰＲＳ送信期間が終了すると、ＡＰ１００−１は、記憶されているＰＩＤに基づいて未使用のＰＩＤの有無を判定する（ステップＳ３１０）。具体的には、制御部１２０は、ＰＲＳ送信期間が終了すると、使用可能な全てのＰＩＤのうち、記憶されているＰＩＤと異なるＰＩＤが存在するかを判定する。
【００９８】
未使用のＰＩＤが存在すると判定されると、ＡＰ１００−１は、未使用のＰＩＤからＰＩＤを決定する（ステップＳ３１１）。具体的には、制御部１２０は、未使用のＰＩＤが存在すると判定されると、当該未使用のＰＩＤから自己のＰＩＤを決定する。
【００９９】
次に、ＡＰ１００−１は、決定されたＰＩＤについてＰＩＤ設定通知を送信する（ステップＳ３１２）。具体的には、制御部１２０は、自己のＰＩＤが決定されると、決定された自己のＰＩＤをＳＴＡ２００−１に通知するためのＰＩＤ設定通知をデータ処理部１１０に生成させ、生成されるＰＩＤ設定通知は無線通信部１３０により自己のＢＳＳに属するＳＴＡ２００−１に送信される。
【０１００】
なお、ステップＳ３１０にて未使用のＰＩＤが存在しないと判定されると、ＡＰ１００−１は、ＰＩＤの設定が困難である旨を表示する（ステップＳ３１３）。具体的には、制御部１２０は、未使用のＰＩＤが存在しないと判定されると、ＰＩＤの設定を中止し、機器制御部１０３を通じて情報出力部１０５にＰＩＤの設定が困難である旨を示す画像などを表示させる。
【０１０１】
（Ｂ．応答装置の処理）
続いて、図１０を参照して、応答装置として動作するＳＴＡ２００−１の処理について説明する。図１０は、本実施形態に係る応答装置の処理を概念的に示すフローチャートである。
【０１０２】
ＳＴＡ２００−１は、フレームが受信されるまで待機する（ステップＳ４０１）。具体的には、無線通信部２３０は、フレームの受信を待ち受ける。
【０１０３】
フレームが受信されると、ＳＴＡ２００−１は、受信されたフレームがＰＩＤ設定通知であるかを判定する（ステップＳ４０２）。具体的には、無線通信部２３０によりフレームが受信されると、データ処理部２１０は、受信されたフレームがＰＩＤ設定通知であるかを判定する。
【０１０４】
受信されたフレームがＰＩＤ設定通知であると判定されると、ＳＴＡ２００−１は、当該ＰＩＤ設定通知に基づいて自己のＰＩＤを記憶する（ステップＳ４０３）。具体的には、制御部２２０は、受信されたフレームがＰＩＤ設定通知である場合、当該ＰＩＤ設定通知により通知されるＰＩＤを自己のＰＩＤとして記憶する。
【０１０５】
また、ステップＳ４０２にて受信されたフレームがＰＩＤ設定通知でないと判定されると、ＳＴＡ２００−１は、当該フレームが他のＢＳＳのＰＩＤを有するかを判定する（ステップＳ４０４）。具体的には、データ処理部２１０は、受信されたフレームのＰＬＣＰヘッダなどが他のＢＳＳのＰＩＤを有するかを判定する。なお、ＰＬＣＰヘッダ以外の場所から当該他のＢＳＳのＰＩＤが格納されていてもよい。
【０１０６】
受信されたフレームが他のＢＳＳのＰＩＤを有すると判定されると、ＳＴＡ２００−１は、当該他のＢＳＳのＰＩＤを上述した隣接ＰＩＤとして記憶する（ステップＳ４０５）。具体的には、制御部２２０は、受信されたフレームが他のＢＳＳのＰＩＤを有する場合、当該他のＢＳＳのＰＩＤを隣接ＰＩＤとして記憶する。
【０１０７】
また、ステップＳ４０４にて受信されたフレームが他のＢＳＳのＰＩＤを有しないと判定されると、ＳＴＡ２００−１は、受信されたフレームがＰＲＱであるかを判定する（ステップＳ４０６）。具体的には、データ処理部２１０は、受信されたフレームが他のＢＳＳのＰＩＤを有しない場合、当該フレームがＰＲＱであるかを判定する。
【０１０８】
受信されたフレームがＰＲＱであると判定されると、ＳＴＡ２００−１は、当該ＰＲＱからＰＲＳ送信パラメタを取得する（ステップＳ４０７）。具体的には、データ処理部２１０は、受信されたフレームがＰＲＱである場合、当該ＰＲＱからＰＲＳ送信パラメタを取得する。
【０１０９】
次に、ＳＴＡ２００−１は、ＰＲＳ送信パラメタに基づいてＰＲＳ送信期間についての時間スロットを設定する（ステップＳ４０８）。具体的には、制御部２２０は、取得されたＰＲＳ送信パラメタに含まれる時間スロット数などに基づいてＰＲＳ送信期間についての時間スロットを設定する。
【０１１０】
次に、ＳＴＡ２００−１は、自己のＢＳＳのＰＩＤを取得する（ステップＳ４０９）。具体的には、制御部２２０は、記憶されている自己のＰＩＤを取得する。
【０１１１】
次に、ＳＴＡ２００−１は、ＰＲＳ送信期間内であるかを判定する（ステップＳ４１０）。具体的には、制御部２２０は、ＰＲＳ送信期間が到来するまで待機する。
【０１１２】
ＰＲＳ送信期間内では、ＳＴＡ２００−１は、自己のＢＳＳのＰＩＤに対応する時間スロットが到来したかを判定する（ステップＳ４１１）。具体的には、制御部２２０は、ＰＲＳ送信期間内において自己のＰＩＤに対応する時間スロットが到来したかを判定する。
【０１１３】
自己のＢＳＳのＰＩＤに対応する時間スロットが到来したと判定されると、ＳＴＡ２００−１は、ＰＲＳを送信する（ステップＳ４１２）。具体的には、制御部２２０は、自己のＰＩＤに対応する時間スロットが到来すると、自己のＰＩＤを有するＰＲＳを無線通信部２３０に送信させる。
【０１１４】
また、ＳＴＡ２００−１は、記憶されている他のＢＳＳのＰＩＤに対応する時間スロットが到来したかを判定する（ステップＳ４１３）。具体的には、制御部２２０は、ＰＲＳ送信期間内において記憶されている隣接ＰＩＤに対応する時間スロットが到来したかを判定する。
【０１１５】
記憶される他のＢＳＳのＰＩＤに対応する時間スロットが到来したと判定されると、ＳＴＡ２００−１は、ＰＲＳを送信する（ステップＳ４１４）。具体的には、制御部２２０は、記憶される隣接ＰＩＤに対応する時間スロットが到来すると、当該隣接ＰＩＤを有するＰＲＳを無線通信部２３０に送信させる。
【０１１６】
＜２−４．動作例＞
以上、本開示の第１の実施形態に係る要求装置および応答装置の構成および処理について説明した。次に、図１１を参照して、本実施形態に係る要求装置および応答装置によるＰＩＤの設定例について説明する。図１１は、本実施形態に係る要求装置および応答装置によるＰＩＤの設定例を説明するための図である。
【０１１７】
例えば、図１１に示したＡＰ１００−１が新たにＰＩＤを設定する場合を考える。
【０１１８】
まず、ＳＴＡ２００−１は、自己のＢＳＳと隣接するＢＳＳのＰＩＤを収集する。例えば、ＯＳＴＡ２００−１Ｌは、他のＢＳＳに属する装置であるＯＳＴＡ２００−１Ｋおよび２００−１ＭからＰＩＤを有するフレームが受信されると、当該フレームが有するＰＩＤ（３）およびＰＩＤ（５）を隣接ＰＩＤとして記憶する。また、ＯＳＴＡ２００−１Ｌは、ＡＰ１００−１を中心としてＯＳＴＡ２００−１Ｌよりも外側に位置するＡＰまたはＳＴＡ（図１１におけるドットの濃さがＳＴＡ２００−１Ｌよりも濃く表現されている）から受信されるフレームからＰＩＤを取得し、取得されるＰＩＤ（１）、ＰＩＤ（２）およびＰＩＤ（６）を隣接ＰＩＤとして記憶する。
【０１１９】
次に、ＡＰ１００−１は、ＰＩＤの設定要求が発生すると、周辺のＳＴＡ２００−１に既に使用されているＰＩＤを通知するように促す。例えば、ＡＰ１００−１は、通信可能に位置するＯＳＴＡ２００−１Ｉ〜２００−１ＮにＰＲＱを送信する。なお、図１１に示した（０）は自己のＰＩＤが未設定であることを示している。
【０１２０】
ＰＲＱを受信したＳＴＡ２００−１は、自己のＰＩＤまたは隣接ＰＩＤに対応する時間スロットにおいてＰＲＳを送信する。例えば、ＯＳＴＡ２００−１Ｌは、自己のＰＩＤ（４）に対応する時間スロット、および記憶されている隣接ＰＩＤ（１）〜（３）、（５）、（６）に対応する時間スロットにおいてＰＲＳを送信する。なお、図１１の例では、ＯＳＴＡ２００−１Ｉ〜２００−１Ｎの全てにおいて、ＰＩＤ（１）〜（６）に対応する時間スロットでＰＲＳがそれぞれ送信されることになる。
【０１２１】
ＰＲＳを受信したＡＰ１００−１は、ＰＲＳが受信された時間スロット以外の時間スロットに対応するＰＩＤを自己のＰＩＤとして決定する。例えば、ＡＰ１００−１は、ＯＳＴＡ２００−１Ｉ〜２００−１ＮからＰＩＤ（１）〜（６）に対応する時間スロットにおいてＰＲＳを受信する。他方で、ＰＩＤ（７）が設定可能なＰＩＤとして残っている。そのため、ＡＰ１００−１は、ＰＩＤ（７）を自己のＰＩＤとして決定する。なお、当該ＰＩＤ（７）は他の通信装置で既に使用されているが、当該他の通信装置はＯＳＴＡ２００−１Ｉ〜２００−１Ｎとも通信可能に位置していない図１１におけるＡＰ１００−１を中心として最も外側に位置する。そのため、ＡＰ１００−１の自己のＰＩＤがＰＩＤ（７）に使用されたとしても、ＰＩＤの重複による問題が生じることがない。
【０１２２】
＜２−５．第１の実施形態のまとめ＞
このように、本開示の第１の実施形態によれば、要求装置は、物理層で識別される無線通信ネットワーク識別子（ＰＩＤ）の要求信号（ＰＲＱ）を送信し、当該ＰＲＱの送信後に、ＰＩＤに対応する無線通信リソースにおいて応答信号（ＰＲＳ）を受信する。また、応答装置は、ＰＩＤのＰＲＱを受信し、ＰＲＱの受信後に、当該ＰＩＤに対応する無線通信リソースにおいてＰＲＳを送信する。ここで、ＰＩＤが重複するとＰＩＤを用いた通信における通信装置の誤作動が生じ、通信装置の送信機会の減少または消費電力の増大などにつながる。そのため、ＰＩＤの重複回避のため、使用中のＰＩＤを把握することが考えられるが、例えば各要求装置との個別のフレーム交換などによりＰＩＤが収集されると限りある無線通信リソースが圧迫されかねない。これに対し、本実施形態の要求装置および応答装置によれば、ＰＲＳが受信される無線通信リソースから使用中のＰＩＤが特定されることにより、ＰＩＤそのものが通信される場合と比べて、ＰＩＤの重複回避にかかる無線通信リソースの使用量を低減することができる。従って、無線通信リソースの利用効率の低下を抑制しながら無線通信ネットワーク識別子の重複を回避することが可能となる。
【０１２３】
また、ＰＩＤは、ＰＲＳの送信元の属する無線通信ネットワークにおいて使用されている第１のＰＩＤを含む。また、応答装置は、自己の属する無線通信ネットワークにおいて使用されている第１のＰＩＤに対応する無線通信リソースにおいてＰＲＳを送信する。このため、要求装置と直接的に通信可能な通信装置の属する無線通信ネットワークのＰＩＤが把握されることにより、ＰＩＤの重複による影響が発生する確実性が高いＰＩＤの選択を避けることができる。従って、ＰＩＤの重複による影響の発生をより確実に抑制することが可能となる。
【０１２４】
また、ＰＩＤは、ＰＲＳの送信元の属する無線通信ネットワークに隣接する無線通信ネットワークにおいて使用されている第２のＰＩＤを含む。また、応答装置は、他の通信装置から第２のＰＩＤを有する信号を受信し、受信された信号の有する第２のＰＩＤに対応する無線通信リソースにおいてＰＲＳを送信する。ここで、通信装置が移動したり通信範囲が変更されたりすると、無線通信ネットワーク間の隣接関係も変化する可能性がある。その場合には、要求装置と間接的に通信可能なすなわち他の無線通信ネットワークを挟んで間接的に隣接する無線通信ネットワークが将来的に直接的に隣接することになりうる。そこで、本構成のように、要求装置と間接的に隣接する無線通信ネットワークのＰＩＤが把握されることにより、将来的に通信に影響を及ぼす可能性のあるＰＩＤの選択をも回避することができる。従って、通信に影響を及ぼすＰＩＤの重複をより確実に回避することが可能となる。
【０１２５】
また、要求装置は、ＰＲＳが受信された無線通信リソースに対応するＰＩＤ以外のＰＩＤを自己の属する無線通信ネットワークのＰＩＤに決定する。このため、要求装置と直接的にまたは間接的に隣接する無線通信ネットワークのＰＩＤと重複しないＰＩＤが当該要求装置の属する無線通信ネットワークのＰＩＤに決定されることにより、新たに設定されるＰＩＤの重複を回避することができる。なお、本構成はＰＩＤが変更される場合にも適用可能であり、その場合には変更先のＰＩＤが上記のように決定されるため、仮に変更前の時点でＰＩＤが重複していたとしても、重複していないＰＩＤに変更することができる。
【０１２６】
また、ＰＲＱは、ＰＩＤと無線通信リソースとの対応関係が特定される対応関係情報を有する。このため、要求装置は自己もしくは他の通信装置の都合または通信状況などに合わせて当該無線通信リソースを柔軟に指定することができる。従って、要求装置においてＰＩＤの通知を受け取りやすくすることができ、ＰＩＤをより確実に収集することが可能となる。
【０１２７】
また、上記対応関係情報は、無線通信リソースのＰＩＤに応じた区切りの数または区切りの間隔が特定される情報を含む。このため、要求装置および応答装置の間で、ＰＩＤと無線通信リソースとの対応関係が特定される情報のうちの一部が既知である場合においては、既知でない情報のみをＰＲＱに格納することができる。従って、ＰＲＱのサイズの増大が抑制されることにより、ＰＩＤ収集にかかる無線通信リソースの消費量の低減が可能となる。
【０１２８】
また、要求装置は、受信信号強度が閾値以上であるＰＲＳを受信する。ここで、受信信号強度が低いすなわち要求装置から遠いほど、ＰＩＤの重複が影響を及ぼす可能性は低くなる。他方で、受信信号強度が低い信号はＰＲＳ以外の信号またはノイズである可能性がある。そこで、本構成によれば、ＰＲＳとして受信されることが望まれる信号のみが受信されることにより、ＰＲＳの受信に基づくＰＩＤの設定処理が誤作動することを抑制できる。従って、自己のＰＩＤとして設定されるＰＩＤの正確性を向上させることが可能となる。
【０１２９】
また、ＰＩＤは、ＢＳＳを物理層で識別するための情報を含む。このため、ＰＩＤの重複が回避されることにより、既存のＢＳＳのＣＯＬＯＲ情報などの情報に基づく受信処理の誤作動を抑制することができる。
【０１３０】
また、上記無線通信リソースは、時間を含む。例えば、当該無線通信リソースは時間スロットである。このため、要求装置はＰＲＳが受信される時間から使用中のＰＩＤを把握することができる。従って、ＰＲＳの受信に係る無線通信リソース、例えば周波数などを分析するなどの追加的な処理を行うことなく、使用中のＰＩＤを特定することが可能となる。
【０１３１】
また、ＰＲＳは、時間について多重化される。このため、ＰＲＳが多重化されない場合、すなわちＰＲＳ送信期間毎に１つのＰＲＳしか送信されない場合と比べて、ＰＲＳの通信効率を向上させることができる。従って、ＰＩＤの収集による無線通信リソースの利用効率の低下抑制に資することが可能となる。
【０１３２】
また、ＰＲＳは、当該ＰＲＳが送信される無線通信リソースに対応するＰＩＤを有する。このため、ＰＲＳの受信に係る無線通信リソースからだけでなく、当該ＰＲＳが有するＰＩＤからも使用中のＰＩＤを特定することができる。従って、ＰＲＳの受信により特定されるＰＩＤの正確性を向上させることが可能となる。
【０１３３】
＜２−６．変形例＞
以上、本開示の第１の実施形態について説明した。なお、本実施形態は、上述の例に限定されない。以下に、本実施形態の変形例について説明する。
【０１３４】
（無線通信リソースが周波数である場合）
本実施形態の変形例として、無線通信リソースは周波数であってもよい。具体的には、ＰＩＤに対応する周波数チャネルが設けられ、当該周波数チャネルは互いに直交する。さらに、図１２を参照して、ＰＩＤに対応する周波数におけるＰＲＳの通信について説明する。図１２は、本実施形態の変形例におけるＰＩＤに対応する周波数におけるＰＲＳの通信の例を示す図である。
【０１３５】
まず、設定可能なＰＩＤに応じて利用可能な周波数が区切られる。例えば、ＰＩＤ（１）〜ＰＩＤ（ｎ）について図１２に示したように周波数が周波数チャネルＦ＿１〜Ｆ＿ｎに区切られる。なお、利用可能な周波数のうちの一部の周波数が区切られてもよい。
【０１３６】
要求装置は、ＰＲＳ送信パラメタとして周波数チャネル数を示す情報を含むＰＲＱを送信する。例えば、ＡＰ１００−１は、図１２に示したようなＦ＿１〜Ｆ＿ｎに周波数が区切られるように周波数チャネル数（ｎ）を示す情報を含むＰＲＱを送信する。
【０１３７】
応答装置は、受信されるＰＲＱが有する情報の示す周波数チャネル数に基づいてＰＲＳの送信周波数を設定する。例えば、ＯＳＴＡ２００−１Ｃは、図１２に示したようなＦ＿１〜Ｆ＿ｎの各々についてそれぞれ１つのＰＲＳの送信が可能なようにＰＲＳの送信周波数を設定する。
【０１３８】
そして、応答装置は、自己のＰＩＤまたは隣接ＰＩＤに対応する周波数チャネルでＰＲＳを送信する。例えば、ＯＳＴＡ２００−１Ｃは、図１２に示したように、自己のＰＩＤ（１）に対応する周波数チャネルＦ＿１および隣接ＰＩＤ（２）に対応する周波数チャネルＦ＿２においてそれぞれＰＲＳ１およびＰＲＳ２を送信する。なお、同じ時間にＰＲＳ１およびＰＲＳ２が送信される場合、ＰＲＳ１およびＰＲＳ２は周波数分割多重化される。
【０１３９】
（無線通信リソースが符号である場合）
また、無線通信リソースは符号であってもよい。具体的には、ＰＩＤに対応する直交符号が設けられる。さらに、図１３を参照して、ＰＩＤに対応する符号を用いたＰＲＳの通信について説明する。図１３は、本実施形態の変形例におけるＰＩＤに対応する符号を用いたＰＲＳの通信の例を示す図である。
【０１４０】
まず、設定可能なＰＩＤに応じて符号が割り当てられる。例えば、ＰＩＤ（１）〜ＰＩＤ（ｎ）について図１２に示したように符号Ｃ＿１〜Ｃ＿ｎが割り当てられる。
【０１４１】
要求装置は、ＰＲＳ送信パラメタとして符号数を示す情報を含むＰＲＱを送信する。例えば、ＡＰ１００−１は、図１２に示したような符号Ｃ＿１〜Ｃ＿ｎが割り当てられるように符号数（ｎ）を示す情報を含むＰＲＱを送信する。
【０１４２】
応答装置は、受信されるＰＲＱが有する情報の示す符号数に基づいてＰＲＳの送信に用いられる符号を設定する。例えば、ＯＳＴＡ２００−１Ｃは、図１２に示したようなＣ＿１〜Ｃ＿ｎの各々についてそれぞれ１つのＰＲＳの送信が可能なようにＰＲＳの符号を設定する。
【０１４３】
そして、応答装置は、自己のＰＩＤまたは隣接ＰＩＤに対応する符号を用いてＰＲＳを送信する。例えば、ＯＳＴＡ２００−１Ｃは、図１２に示したように、自己のＰＩＤ（１）に対応する符号Ｃ＿１および隣接ＰＩＤ（２）に対応する符号Ｃ＿２を用いてそれぞれＰＲＳ１およびＰＲＳ２を送信する。なお、同じ時間または周波数でＰＲＳ１およびＰＲＳ２が送信される場合、ＰＲＳ１およびＰＲＳ２は符号分割多重化される。
【０１４４】
このように、本実施形態の変形例によれば、無線通信リソースは、周波数または符号を含む。このため、ＰＲＳの送信タイミングによらずにＰＩＤを要求装置に通知することができる。従って、ＰＲＳ送信期間をよりフレキシブルに設定することが可能となる。なお、無線通信リソースは、時間、周波数および符号のうちの２つ以上の組合せであってもよい。
【０１４５】
また、ＰＲＳは、周波数または符号について多重化される。このため、周波数の場合はＰＲＳの通信の時間利用効率を、符号の場合はＰＲＳの通信の時間利用効率および周波数利用効率を向上させることができる。
【０１４６】
＜３．第２の実施形態（使用中のＰＩＤを種類別に要求装置に通知）＞
以上、本開示の第１の実施形態について説明した。次に、本開示の第２の実施形態について説明する。なお、本実施形態の基本構成は第１の実施形態と実質的に同一であるため説明を省略する。
【０１４７】
＜３−１．装置の詳細構成＞
本実施形態に係る通信装置１００−２（２００−２）の機能詳細について説明する。以下では、第１の実施形態と同様に、要求装置として動作するＡＰ１００−２および応答装置として動作するＳＴＡ２００−２に分けて機能をそれぞれ説明する。
【０１４８】
（Ａ．要求装置の機能）
まず、要求装置として動作するＡＰ１００−２の機能について説明する。なお、ＰＲＱの送信については第１の実施形態と実質的に同一であるため説明を省略する。
【０１４９】
（Ａ−２．ＰＲＳの受信）
ＡＰ１００−２は、第１のＰＩＤに対応する無線通信リソースのみを有する第１の無線通信リソース（以下、第１の無線通信リソースセットとも称する。）および第２のＰＩＤに対応する無線通信リソースのみを有する第２の無線通信リソース（以下、第２の無線通信リソースセットとも称する。）においてＰＲＳを受信する。そして、当該第１の無線通信リソースセットと当該第２の無線通信リソースセットとは重複しないで設けられる。なお、当該第１の無線通信リソースセットの構成要素である無線通信リソースに対応するＰＩＤは、応答装置にとっての自己のＰＩＤであり、すなわち要求装置にとっての隣接ＰＩＤである。また、第２の無線通信リソースセットの構成要素である無線通信リソースに対応するＰＩＤは、応答装置にとっての隣接ＰＩＤであり、要求装置にとっては自己のＢＳＳに隣接するＢＳＳにさらに隣接するＢＳＳのＰＩＤ（以下、遠隔ＰＩＤとも称する。）である。さらに、図１４を参照して、本実施形態におけるＰＲＳの受信について説明する。図１４は、本実施形態におけるＰＲＱおよびＰＲＳの通信の例を示す図である。
【０１５０】
ＡＰ１００−２は、ＰＲＱの送信後、まず第１の無線通信リソースセットとしてのＰＲＳ送信期間１において、当該ＰＲＳ送信期間１が区切られることにより得られる時間スロットの単位でＰＲＳを受信する。例えば、ＰＲＳ送信期間１は、図１４に示したように時間スロットＳ１＿１〜Ｓ１＿７に区切られ、時間スロットＳ１＿１〜Ｓ１＿６の各々においてそれぞれＰＲＳ１〜ＰＲＳ６が受信される。なお、時間スロットＳ１＿７においてはＰＲＳが受信されない。
【０１５１】
ＰＲＳ送信期間１においてＰＲＳが受信されると、ＡＰ１００−２は、ＰＲＳの通信に用いられた時間スロットに対応するＰＩＤを特定し、特定されるＰＩＤをＡＰ１００−２にとっての隣接ＰＩＤとして記憶する。例えば、ＰＲＳ送信期間１における時間スロットＳ１＿１においてＰＲＳ１が無線通信部１３０によって受信されると、制御部１２０は、受信された時間に相当する時間スロットに対応するＰＩＤ（１）を特定する。そして、制御部１２０は、特定されたＰＩＤ（１）をＡＰ１００−２にとっての隣接ＰＩＤとして記憶する。
【０１５２】
続いて、ＡＰ１００−２は、ＰＲＳ送信期間１の終了後、第２の無線通信リソースセットとしてのＰＲＳ送信期間２において、当該ＰＲＳ送信期間２が区切られることにより得られる時間スロットの単位でＰＲＳを受信する。例えば、ＰＲＳ送信期間２は、図１４に示したように時間スロットＳ２＿１〜Ｓ２＿７に区切られ、時間スロットＳ２＿１〜Ｓ２＿６の各々においてそれぞれ５つのＰＲＳ１〜ＰＲＳ６が受信される。なお、時間スロットＳ２＿７においてはＰＲＳが受信されない。
【０１５３】
ＰＲＳ送信期間２においてＰＲＳが受信されると、ＡＰ１００−２は、ＰＲＳの通信に用いられた時間スロットに対応するＰＩＤを特定し、特定されるＰＩＤをＡＰ１００−２にとっての遠隔ＰＩＤとして記憶する。例えば、ＰＲＳ送信期間２における時間スロットＳ２＿１においてＰＲＳ１が無線通信部１３０によって受信されると、制御部１２０は、受信された時間に相当する時間スロットに対応するＰＩＤ（１）を特定する。そして、制御部１２０は、特定されたＰＩＤ（１）をＡＰ１００−２にとっての遠隔ＰＩＤとして記憶する。
【０１５４】
（Ａ−３．ＰＩＤの決定）
ＡＰ１００−２は、第１の無線通信リソースセットまたは第２の無線通信リソースセットにおけるＰＲＳが受信された無線通信リソースに対応するＰＩＤ以外のＰＩＤを自己のＰＩＤとして決定する。具体的には、制御部１２０は、ＰＲＳ送信期間２が終了すると、ＰＲＳ送信期間１またはＰＲＳ送信期間２におけるＰＲＳの受信に基づき記憶されている隣接ＰＩＤおよび遠隔ＰＩＤのいずれとも重複しないＰＩＤを自己のＰＩＤとして決定する。
【０１５５】
さらに、ＡＰ１００−２は、ＰＲＳが受信された無線通信リソースに対応するＰＩＤ以外のＰＩＤが存在しない場合、ＰＲＳ送信期間１におけるＰＲＳが受信されていない無線通信リソースに対応するＰＩＤを自己のＰＩＤとして決定する。具体的には、制御部１２０は、記憶されている隣接ＰＩＤおよび遠隔ＰＩＤのいずれとも重複しないＰＩＤが存在しない場合、隣接ＰＩＤと重複しないＰＩＤの有無を判定する。隣接ＰＩＤと重複しないＰＩＤが存在すると判定されると、制御部１２０は、当該ＰＩＤを自己のＰＩＤに決定する。なお、隣接ＰＩＤと重複しないＰＩＤも存在しないと判定されると、制御部１２０は、ＰＩＤの設定を中止する。
【０１５６】
（Ｂ．応答装置の機能）
続いて、応答装置として動作するＳＴＡ２００−２（ＯＳＴＡ２００−２）の機能について説明する。なお、ＰＩＤの収集およびＰＲＱの受信については第１の実施形態と実質的に同一であるため説明を省略する。
【０１５７】
（Ｂ−３．ＰＲＳの送信）
ＳＴＡ２００−２は、第１の無線通信リソースセットにおいては、第１のＰＩＤに対応する無線通信リソースにおいてのみＰＲＳを送信する。また、ＳＴＡ２００−２は、当該第１の無線通信リソースセットと互いに重複しないで設けられる第２の無線通信リソースセットにおいては、第２のＰＩＤに対応する無線通信リソースにおいてのみＰＲＳを送信する。具体的には、ＳＴＡ２００−２は、ＰＲＳ送信期間１においては、自己のＰＩＤと対応する時間スロットにおいてのみＰＲＳを送信し、ＰＲＳ送信期間２においては、自己にとっての隣接ＰＩＤと対応する時間スロットにおいてのみＰＲＳを送信する。例えば、図１４に示したように、ＯＳＴＡ２００−２Ｉは、ＰＲＳ送信期間１においては、自己のＰＩＤであるＰＩＤ（１）に対応する時間スロットＳ１＿１においてＰＲＳ１を送信する。また、ＯＳＴＡ２００−２Ｉは、ＰＲＳ送信期間２においては、自己にとっての隣接ＰＩＤであるＰＩＤ（２）〜ＰＩＤ（６）にそれぞれ対応する時間スロットＳ２＿２〜Ｓ２＿６においてＰＲＳを送信する。
【０１５８】
＜３−２．装置の処理＞
次に、本実施形態に係る通信装置１００−２（２００−２）の処理について説明する。なお、第１の実施形態の処理と実質的に同一である処理については説明を省略する。
【０１５９】
（Ａ．要求装置の処理）
まず、図１５を参照して、要求装置として動作するＡＰ１００−２の処理について説明する。図１５は、本実施形態に係る要求装置の処理を概念的に示すフローチャートである。
【０１６０】
ＡＰ１００−２は、ＰＩＤの設定要求が発生する（ステップＳ５０１）と、ＰＩＤ設定範囲情報を取得する（ステップＳ５０２）。そして、ＡＰ１００−２は、ＰＲＳ送信期間１についての時間スロットを決定し（ステップＳ５０３）、ＰＲＳ送信期間２についての時間スロットを決定する（ステップＳ５０４）。
【０１６１】
次に、ＡＰ１００−２は、周辺装置の動作状況を確認し（ステップＳ５０５）、無線伝送路の利用可否を判定する（ステップＳ５０６）。そして、無線伝送路が利用可能であると判定されると、ＡＰ１００−２は、ＰＲＱを送信する（ステップＳ５０７）。
【０１６２】
次に、ＡＰ１００−２は、ＰＲＳ送信期間１が到来する（ステップＳ５０８）と、当該ＰＲＳ送信期間１内において、ＰＲＳの受信を待ち受ける（ステップＳ５０９）。
【０１６３】
ＰＲＳ送信期間１内においてＰＲＳが受信されると、ＡＰ１００−２は、現時点の時間スロットに対応するＰＩＤを記憶する（ステップＳ５１０）。具体的には、ＰＲＳ送信期間１内において無線通信部１３０によりＰＲＳが受信されると、制御部１２０は、当該ＰＲＳが受信された時間スロットに対応するＰＩＤを特定し、特定されるＰＩＤを自己にとっての隣接ＰＩＤとして記憶する。
【０１６４】
次に、ＡＰ１００−２は、ＰＲＳ送信期間１が終了し、ＰＲＳ送信期間２が到来する（ステップＳ５１１）と、当該ＰＲＳ送信期間２内においてＰＲＳの受信を待ち受ける（ステップＳ５１２）。
【０１６５】
ＰＲＳ送信期間２内においてＰＲＳが受信されると、ＡＰ１００−２は、現時点の時間スロットに対応するＰＩＤを記憶する（ステップＳ５１３）。具体的には、ＰＲＳ送信期間２内において無線通信部１３０によりＰＲＳが受信されると、制御部１２０は、当該ＰＲＳが受信された時間スロットに対応するＰＩＤを特定し、特定されるＰＩＤを自己にとっての遠隔ＰＩＤとして記憶する。
【０１６６】
ＰＲＳ送信期間２が終了すると、ＡＰ１００−２は、記憶されているＰＩＤに基づいて未使用のＰＩＤの有無を判定する（ステップＳ５１４）。具体的には、制御部１２０は、ＰＲＳ送信期間２が終了すると、使用可能な全てのＰＩＤのうち、記憶されている隣接ＰＩＤおよび遠隔ＰＩＤのいずれとも異なるＰＩＤが存在するかを判定する。
【０１６７】
未使用のＰＩＤが存在しないと判定されると、ＡＰ１００−２は、ＰＲＳ送信期間１に関して未使用のＰＩＤが存在するかを判定する（ステップＳ５１５）。具体的には、制御部１２０は、隣接ＰＩＤおよび遠隔ＰＩＤのいずれとも異なるＰＩＤが存在しない場合、隣接ＰＩＤとのみ異なるＰＩＤが存在するかを判定する。
【０１６８】
ステップＳ５１４にて未使用のＰＩＤが存在すると判定される場合またはステップＳ５１５にてＰＲＳ送信期間１に関して未使用のＰＩＤが存在すると判定される場合、ＡＰ１００−２は、当該未使用のＰＩＤからＰＩＤを決定する（ステップＳ５１６）。具体的には、制御部１２０は、隣接ＰＩＤおよび遠隔ＰＩＤのいずれとも異なる未使用のＰＩＤが存在すると判定されると、当該未使用のＰＩＤから自己のＰＩＤを決定する。また、制御部１２０は、隣接ＰＩＤのみと異なる未使用のＰＩＤが存在すると判定されると、当該未使用のＰＩＤから自己のＰＩＤを決定する。
【０１６９】
次に、ＡＰ１００−２は、決定されたＰＩＤについてＰＩＤ設定通知を送信する（ステップＳ５１７）。なお、ステップＳ５１５にて未使用のＰＩＤが存在しないと判定されると、ＡＰ１００−２は、ＰＩＤの設定が困難である旨を表示する（ステップＳ５１８）。
【０１７０】
（Ｂ．応答装置の処理）
続いて、図１６を参照して、応答装置として動作するＳＴＡ２００−２の処理について説明する。図１６は、本実施形態に係る応答装置の処理を概念的に示すフローチャートである。
【０１７１】
ＳＴＡ２００−２は、フレームが受信されるまで待機し（ステップＳ６０１）、フレームが受信されると、受信されたフレームがＰＩＤ設定通知であるかを判定する（ステップＳ６０２）。そして、受信されたフレームがＰＩＤ設定通知であると判定されると、ＳＴＡ２００−２は、当該ＰＩＤ設定通知に基づいて自己のＰＩＤを記憶する（ステップＳ６０３）。
【０１７２】
また、ステップＳ６０２にて受信されたフレームがＰＩＤ設定通知でないと判定されると、ＳＴＡ２００−２は、当該フレームが他のＢＳＳのＰＩＤを有するかを判定する（ステップＳ６０４）。受信されたフレームが他のＢＳＳのＰＩＤを有すると判定されると、ＳＴＡ２００−２は、当該他のＢＳＳのＰＩＤを隣接ＰＩＤとして記憶する（ステップＳ６０５）。
【０１７３】
また、ステップＳ６０４にて受信されたフレームが他のＢＳＳのＰＩＤを有しないと判定されると、ＳＴＡ２００−２は、受信されたフレームがＰＲＱであるかを判定する（ステップＳ６０６）。受信されたフレームがＰＲＱであると判定されると、ＳＴＡ２００−２は、当該ＰＲＱからＰＲＳ送信パラメタを取得する（ステップＳ６０７）。
【０１７４】
次に、ＳＴＡ２００−２は、ＰＲＳ送信パラメタに基づいて、ＰＲＳ送信期間１についての時間スロットを設定し（ステップＳ６０８）、ＰＲＳ送信期間２についての時間スロットを設定する（ステップＳ６０９）。なお、１つのＰＲＳ送信パラメタがＰＲＳ送信期間１およびＰＲＳ送信期間２の両方に適用されてもよく、各々のためのＰＲＳ送信パラメタがＰＲＱに格納され、当該ＰＲＳ送信パラメタがそれぞれのＰＲＳ送信期間について適用されてもよい。
【０１７５】
次に、ＳＴＡ２００−２は、自己のＢＳＳのＰＩＤを取得する（ステップＳ６１０）。
【０１７６】
次に、ＳＴＡ２００−２は、ＰＲＳ送信期間１が到来する（ステップＳ６１１）と、ＰＲＳ送信期間１内において、自己のＢＳＳのＰＩＤに対応する時間スロットが到来したかを判定する（ステップＳ６１２）。自己のＢＳＳのＰＩＤに対応する時間スロットが到来したと判定されると、ＳＴＡ２００−２は、ＰＲＳを送信する（ステップＳ６１３）。具体的には、制御部２２０は、ＰＲＳ送信期間１内においては、自己のＰＩＤに対応する時間スロットが到来したかのみを判定し、自己のＰＩＤに対応する時間スロットが到来したと判定されるとＰＲＳを無線通信部２３０に送信させる。
【０１７７】
また、ＳＴＡ２００−２は、ＰＲＳ送信期間１内において他の通信装置からＰＲＳが受信される（ステップＳ６１４）と、現時間スロットに対応する他のＢＳＳのＰＩＤを記憶する（ステップＳ６１５）。具体的には、制御部２２０は、ＰＲＳ送信期間１内において、他の通信装置からＰＲＳが受信されると、当該ＰＲＳが受信された時間スロットに対応するＰＩＤを特定し、特定されるＰＩＤを自己にとっての隣接ＰＩＤとして記憶する。これは、本実施形態では、ＰＲＳ送信期間１においては自己のＰＩＤに対応する時間スロットにおいてのみＰＲＳが送信されるためである。
【０１７８】
ＰＲＳ送信期間１が終了し、ＰＲＳ送信期間２が到来する（ステップＳ６１６）と、ＳＴＡ２００−２は、ＰＲＳ送信期間２内において、記憶される他のＢＳＳのＰＩＤに対応する時間スロットが到来したかを判定する（ステップＳ６１７）。具体的には、制御部２２０は、ＰＲＳ送信期間２内においては、隣接ＰＩＤに対応する時間スロットが到来したかのみを判定し、隣接ＰＩＤに対応する時間スロットが到来したと判定されるとＰＲＳを無線通信部２３０に送信させる。
【０１７９】
＜３−３．動作例＞
以上、本開示の第２の実施形態に係る要求装置および応答装置の構成および処理について説明した。次に、図１７を参照して、本実施形態に係る要求装置および応答装置によるＰＩＤの設定例について説明する。図１７は、本実施形態に係る要求装置および応答装置によるＰＩＤの設定例を説明するための図である。
【０１８０】
例えば、図１７に示したＡＰ１００−２が新たにＰＩＤを設定する場合を考える。なお、第１の実施形態と実質的に同一である動作については詳細な説明を省略する。
【０１８１】
まず、ＳＴＡ２００−２は、自己のＢＳＳと隣接するＢＳＳのＰＩＤを収集する。第１の実施形態との違いは、ＯＳＴＡ２００−２Ｌにおいて、ＰＩＤ（６）の代わりにＰＩＤ（７）が隣接ＰＩＤとして記憶される点である。すなわち、隣接ＰＩＤとして記憶されるＰＩＤは、ＰＩＤ（１）、（２）および（７）となる。
【０１８２】
次に、ＡＰ１００−２は、ＰＩＤの設定要求が発生すると、周辺のＳＴＡ２００−２に既に使用されているＰＩＤを通知するように促す。
【０１８３】
ＰＲＱを受信したＳＴＡ２００−２は、ＰＲＳ送信期間１内では自己のＰＩＤに対応する時間スロットにおいてＰＲＳを送信する。例えば、ＯＳＴＡ２００−２Ｌは、ＰＲＳ送信期間１内では、自己のＰＩＤ（４）に対応する時間スロットにおいてのみＰＲＳを送信する。
【０１８４】
次に、ＳＴＡ２００−２は、ＰＲＳ送信期間２内では隣接ＰＩＤに対応する時間スロットにおいてＰＲＳを送信する。例えば、ＯＳＴＡ２００−２Ｌは、ＰＲＳ送信期間２内では、記憶されている隣接ＰＩＤ（１）〜（３）、（５）、（７）に対応する時間スロットにおいてＰＲＳを送信する。
【０１８５】
ＰＲＳを受信したＡＰ１００−２は、ＰＲＳが受信された時間スロット以外の時間スロットに対応するＰＩＤを自己のＰＩＤとして決定する。例えば、ＡＰ１００−２は、ＰＲＳ送信期間１内においてＯＳＴＡ２００−２Ｉ〜２００−２ＮからＰＩＤ（１）〜（６）に対応する時間スロットにおいてＰＲＳを受信する。また、ＡＰ１００−２は、ＰＲＳ送信期間２内においてＯＳＴＡ２００−２Ｉ〜２００−２Ｎの少なくとも１つからＰＩＤ（１）〜（７）に対応する時間スロットのそれぞれにおいてＰＲＳを受信する。このように、使用されていないＰＩＤが残っていないため、このままでは自己のＰＩＤが決定されない。
【０１８６】
そこで、ＡＰ１００−２は、さらにＰＲＳ送信期間１におけるＰＲＳが受信された時間スロット以外の時間スロットに対応するＰＩＤを自己のＰＩＤとして決定する。例えば、ＡＰ１００−２は、ＰＲＳ送信期間１内においてはＰＩＤ（１）〜（６）に対応する時間スロットにおいてのみＰＲＳを受信している。そのため、ＰＩＤ（７）が未使用のＰＩＤとして残っている。従って、ＡＰ１００−２は、当該ＰＩＤ（７）を自己のＰＩＤに決定する。当該ＰＩＤ（７）は、ＡＰ１００−２と直接的に通信可能に位置していない通信装置で設定されているため、ＡＰ１００−２の自己のＰＩＤがＰＩＤ（７）に設定されたとしても、ＰＩＤの重複による問題が生じる可能性が低い。
【０１８７】
＜３−４．第２の実施形態のまとめ＞
このように、本開示の第２の実施形態によれば、上記第１のＰＩＤに対応する無線通信リソースのみを有する第１の無線通信リソースセットと、上記第２のＰＩＤに対応する無線通信リソースのみを有する第２の無線通信リソースセットと、が互いに重複しないで設けられる。そして、応答装置は、上記第１の無線通信リソースセットにおいては、上記第１のＰＩＤに対応する無線通信リソースにおいてのみＰＲＳを送信し、上記第２の無線通信リソースセットにおいては、上記第２のＰＩＤに対応する無線通信リソースにおいてのみＰＲＳを送信する。このため、要求装置は、収集されるＰＩＤを隣接ＰＩＤと遠隔ＰＩＤとに区別することができる。従って、収集されるＰＩＤをより適切に活用することが可能となる。
【０１８８】
また、要求装置は、ＰＲＳが受信された無線通信リソースに対応するＰＩＤ以外のＰＩＤが存在しない場合、上記第１の無線通信リソースセットにおけるＰＲＳが受信されていない無線通信リソースに対応するＰＩＤを自己の属する無線通信ネットワークのＰＩＤに決定する。このため、隣接ＰＩＤとして未使用であり、遠隔ＰＩＤとしても未使用であるＰＩＤが存在しない場合であっても、要求装置は自己のＰＩＤを設定できる。また、自己のＰＩＤについて、遠隔ＰＩＤと比べてＰＩＤの重複が与える影響が大きい隣接ＰＩＤとの重複を回避できる。
【０１８９】
また、応答装置において上記他の通信装置から受信される信号は、上記第１の無線通信リソースセットにおける第１のＰＩＤに対応する無線通信リソースおいて受信されるＰＲＳを含む。このため、応答装置はさらに他の応答装置から受信されるＰＲＳに基づいてＰＩＤを収集することができる。従って、次回以降の収集の際にＰＩＤが応答装置間で重複して通知されることにより、要求装置に周辺で使用されているＰＩＤをより確実に通知することが可能となる。
【０１９０】
＜４．応用例＞
本開示に係る技術は、様々な製品へ応用可能である。例えば、応答装置は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、応答装置は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、応答装置は、これら端末に搭載される無線通信モジュール（例えば、１つのダイで構成される集積回路モジュール）であってもよい。
【０１９１】
一方、例えば、要求装置は、ルータ機能を有し又はルータ機能を有しない無線ＬＡＮアクセスポイント（無線基地局ともいう）として実現されてもよい。また、要求装置は、モバイル無線ＬＡＮルータとして実現されてもよい。さらに、要求装置は、これら装置に搭載される無線通信モジュール（例えば、１つのダイで構成される集積回路モジュール）であってもよい。
【０１９２】
＜４−１．第１の応用例＞
図１８は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３、アンテナスイッチ９１４、アンテナ９１５、バス９１７、バッテリー９１８及び補助コントローラ９１９を備える。
【０１９３】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１９４】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１９５】
無線通信インタフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９１３は、インフラストラクチャーモードにおいては、他の装置と無線ＬＡＮアクセスポイントを介して通信し得る。また、無線通信インタフェース９１３は、アドホックモード又はＷｉ−Ｆｉ  Ｄｉｒｅｃｔ（登録商標）等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インタフェース９１３は、典型的には、ベースバンドプロセッサ、ＲＦ（Radio  Frequency）回路及びパワーアンプなどを含み得る。無線通信インタフェース９１３は、通信制御プログラムを記憶するメモリ、当該プログラムを実行するプロセッサ及び関連する回路を集積したワンチップのモジュールであってもよい。無線通信インタフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インタフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インタフェース９１３による無線信号の送信及び受信のために使用される。
【０１９６】
なお、図１８の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０１９７】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３及び補助コントローラ９１９を互いに接続する。バッテリー９１８は、図中に破線で部分的に示した給電ラインを介して、図１８に示したスマートフォン９００の各ブロックへ電力を供給する。補助コントローラ９１９は、例えば、スリープモードにおいて、スマートフォン９００の必要最低限の機能を動作させる。
【０１９８】
図１８に示したスマートフォン９００において、図５を用いて説明したデータ処理部２１０、制御部２２０および無線通信部２３０は、無線通信インタフェース９１３において実装されてもよい。また、これら機能の少なくとも一部は、プロセッサ９０１又は補助コントローラ９１９において実装されてもよい。例えば、制御部２２０は、ＰＲＱが受信されると、自己のＰＩＤまたは隣接ＰＩＤに対応する無線通信リソースにおいて、データ処理部２１０に生成させたＰＲＳを無線通信部２３０に送信させる。これにより、無線通信リソースの利用効率の低下を抑制しながら、スマートフォン９００の属するＢＳＳのＰＩＤと他のＢＳＳのＰＩＤとの重複を回避することが可能となる。
【０１９９】
なお、スマートフォン９００は、プロセッサ９０１がアプリケーションレベルでアクセスポイント機能を実行することにより、無線アクセスポイント（ソフトウェアＡＰ）として動作してもよい。また、無線通信インタフェース９１３が無線アクセスポイント機能を有していてもよい。
【０２００】
＜４−２．第２の応用例＞
図１９は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、アンテナスイッチ９３４、アンテナ９３５及びバッテリー９３８を備える。
【０２０１】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２０２】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２０３】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２０４】
無線通信インタフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９３３は、インフラストラクチャーモードにおいては、他の装置と無線ＬＡＮアクセスポイントを介して通信し得る。また、無線通信インタフェース９３３は、アドホックモード又はＷｉ−Ｆｉ  Ｄｉｒｅｃｔ等のダイレクト通信モードにおいては、他の装置と直接的に通信し得る。無線通信インタフェース９３３は、典型的には、ベースバンドプロセッサ、ＲＦ回路及びパワーアンプなどを含み得る。無線通信インタフェース９３３は、通信制御プログラムを記憶するメモリ、当該プログラムを実行するプロセッサ及び関連する回路を集積したワンチップのモジュールであってもよい。無線通信インタフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インタフェース９３３に含まれる複数の回路の間でアンテナ９３５の接続先を切り替える。アンテナ９３５は、単一の又は複数のアンテナ素子を有し、無線通信インタフェース９３３による無線信号の送信及び受信のために使用される。
【０２０５】
なお、図１９の例に限定されず、カーナビゲーション装置９２０は、複数のアンテナを備えてもよい。その場合に、アンテナスイッチ９３４は、カーナビゲーション装置９２０の構成から省略されてもよい。
【０２０６】
バッテリー９３８は、図中に破線で部分的に示した給電ラインを介して、図１９に示したカーナビゲーション装置９２０の各ブロックへ電力を供給する。また、バッテリー９３８は、車両側から給電される電力を蓄積する。
【０２０７】
図１９に示したカーナビゲーション装置９２０において、図５を用いて説明したデータ処理部２１０、制御部２２０および無線通信部２３０は、無線通信インタフェース９３３において実装されてもよい。また、これら機能の少なくとも一部は、プロセッサ９２１において実装されてもよい。例えば、制御部２２０は、ＰＲＱが受信されると、自己のＰＩＤまたは隣接ＰＩＤに対応する無線通信リソースにおいて、データ処理部２１０に生成させたＰＲＳを無線通信部２３０に送信させる。これにより、無線通信リソースの利用効率の低下を抑制しながら、カーナビゲーション装置９２０の属するＢＳＳのＰＩＤと他のＢＳＳのＰＩＤとの重複を回避することが可能となる。
【０２０８】
また、無線通信インタフェース９３３は、上述した要求装置として動作し、車両に乗るユーザが有する端末に無線接続を提供してもよい。その際、例えば、制御部１２０は、ＰＩＤの通知についてのＰＲＳを無線通信部１３０に送信させ、無線通信部１３０は、当該ＰＲＳの送信後に、ＰＩＤに対応する無線通信リソースにおいてＰＲＳを受信する。これにより、無線通信リソースの利用効率の低下を抑制しながら、カーナビゲーション装置９２０の構築するＢＳＳすなわち自己のＢＳＳのＰＩＤと他のＢＳＳのＰＩＤとの重複を回避することが可能となる。
【０２０９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２１０】
＜４−３．第３の応用例＞
図２０は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインタフェース９５７、無線通信インタフェース９６３、アンテナスイッチ９６４及びアンテナ９６５を備える。
【０２１１】
コントローラ９５１は、例えばＣＰＵ又はＤＳＰ（Digital  Signal  Processor）であってよく、無線アクセスポイント９５０のＩＰ（Internet  Protocol）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０２１２】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０２１３】
ネットワークインタフェース９５７は、無線アクセスポイント９５０が有線通信ネットワーク９５８に接続するための有線通信インタフェースである。ネットワークインタフェース９５７は、複数の接続端子を有してもよい。有線通信ネットワーク９５８は、イーサネット（登録商標）などのＬＡＮであってもよく、又はＷＡＮ（Wide  Area  Network）であってもよい。
【０２１４】
無線通信インタフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インタフェース９６３は、典型的には、ベースバンドプロセッサ、ＲＦ回路及びパワーアンプなどを含み得る。無線通信インタフェース９６３は、通信制御プログラムを記憶するメモリ、当該プログラムを実行するプロセッサ及び関連する回路を集積したワンチップのモジュールであってもよい。アンテナスイッチ９６４は、無線通信インタフェース９６３に含まれる複数の回路の間でアンテナ９６５の接続先を切り替える。アンテナ９６５は、単一の又は複数のアンテナ素子を有し、無線通信インタフェース９６３による無線信号の送信及び受信のために使用される。
【０２１５】
図２０に示した無線アクセスポイント９５０において、図５を用いて説明したデータ処理部１１０、制御部１２０および無線通信部１３０は、無線通信インタフェース９６３において実装されてもよい。また、これら機能の少なくとも一部は、コントローラ９５１において実装されてもよい。例えば、制御部１２０は、ＰＩＤの通知についてのＰＲＳを無線通信部１３０に送信させ、無線通信部１３０は、当該ＰＲＳの送信後に、ＰＩＤに対応する無線通信リソースにおいてＰＲＳを受信する。これにより、無線通信リソースの利用効率の低下を抑制しながら、無線アクセスポイント９５０の構築するＢＳＳすなわち自己のＢＳＳのＰＩＤと他のＢＳＳのＰＩＤとの重複を回避することが可能となる。
【０２１６】
＜５．むすび＞
以上、本開示の第１の実施形態によれば、ＰＲＳが受信される無線通信リソースから使用中のＰＩＤが特定されることにより、ＰＩＤそのものが通信される場合と比べて、ＰＩＤの重複回避にかかる無線通信リソースの使用量を低減することができる。従って、無線通信リソースの利用効率の低下を抑制しながら無線通信ネットワーク識別子の重複を回避することが可能となる。
【０２１７】
また、本開示の第２の実施形態によれば、要求装置は、収集されるＰＩＤを隣接ＰＩＤと遠隔ＰＩＤとに区別することができる。従って、収集されるＰＩＤをより適切に活用することが可能となる。
【０２１８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２１９】
例えば、上記実施形態では、ＡＰ１００が要求装置として動作し、ＳＴＡ２００（ＯＳＴＡ２００）が応答装置として動作するとしたが、本技術はかかる例に限定されない。例えば、ＳＴＡ２００（ＯＳＴＡ２００）が要求装置として動作し、ＡＰ１００が応答装置として動作してもよい。
【０２２０】
また、上記実施形態では、ＰＩＤに対応する無線通信リソースが、連続する無線通信リソースのＰＩＤに応じた区切りにより得られる無線通信リソースである例を説明したが、当該ＰＩＤに対応する無線通信リソースは、不連続の無線通信リソースの割当てであってもよい。例えば、ＰＩＤに対応する時間スロットは、時間的に隣接せず、例えば時間スロット間に間隔が設けられてもよい。また、当該間隔は規則的であっても、不規則的であってもよい。
【０２２１】
また、上記実施形態では、自己のＰＩＤおよび隣接ＰＩＤの両方についてそれぞれ対応する無線通信リソースにおいてＰＲＳが送信される例を説明したが、ＰＲＳが送信される無線通信リソースは自己のＰＩＤのみまたは隣接ＰＩＤのみであってもよい。例えば、要求装置は、ＰＲＳの送信対象となるＰＩＤの種類（自己のＰＩＤおよび隣接ＰＩＤ）を、ＰＲＱを用いて指定してもよい。
【０２２２】
また、上記第２の実施形態では、ＰＲＳ送信期間が２つ設けられる例を説明したが、ＰＲＳ送信期間は３つ以上設けられてもよい。
【０２２３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２２４】
また、上記の実施形態のフローチャートに示されたステップは、記載された順序に沿って時系列的に行われる処理はもちろん、必ずしも時系列的に処理されなくとも、並列的にまたは個別的に実行される処理をも含む。また時系列的に処理されるステップでも、場合によっては適宜順序を変更することが可能であることは言うまでもない。
【０２２５】
また、要求装置または応答装置に内蔵されるハードウェアに上述した要求装置または応答装置の各論理構成と同等の機能を発揮させるためのコンピュータプログラムも作成可能である。また、当該コンピュータプログラムが記憶された記憶媒体も提供される。
【０２２６】
なお、以下のような構成も本開示の技術的範囲に属する。
（１）
物理層で識別される無線通信ネットワーク識別子の要求信号を送信し、
前記要求信号の送信後に、前記無線通信ネットワーク識別子に対応する無線通信リソースにおいて応答信号を受信する通信部を備える、通信装置。
（２）
前記無線通信ネットワーク識別子は、前記応答信号の送信元の属する無線通信ネットワークにおいて使用されている第１の無線通信ネットワーク識別子を含む、前記（１）に記載の通信装置。
（３）
前記無線通信ネットワーク識別子は、前記応答信号の送信元の属する無線通信ネットワークに隣接する無線通信ネットワークにおいて使用されている第２の無線通信ネットワーク識別子を含む、前記（２）に記載の通信装置。
（４）
前記第１の無線通信ネットワーク識別子に対応する無線通信リソースのみを有する第１の無線通信リソースと、前記第２の無線通信ネットワーク識別子に対応する無線通信リソースのみを有する第２の無線通信リソースと、が互いに重複しないで設けられる、前記（３）に記載の通信装置。
（５）
前記通信部は、前記応答信号が受信された前記無線通信リソースに対応する前記無線通信ネットワーク識別子以外の前記無線通信ネットワーク識別子を前記通信装置の属する無線通信ネットワークの前記無線通信ネットワーク識別子に決定する、前記（４）に記載の通信装置。
（６）
前記通信部は、前記応答信号が受信された前記無線通信リソースに対応する前記無線通信ネットワーク識別子以外の前記無線通信ネットワーク識別子が存在しない場合、前記第１の無線通信リソースにおける前記応答信号が受信されていない前記無線通信リソースに対応する前記無線通信ネットワーク識別子を前記通信装置の属する無線通信ネットワークの前記無線通信ネットワーク識別子に決定する、前記（５）に記載の通信装置。
（７）
前記要求信号は、前記無線通信ネットワーク識別子と前記無線通信リソースとの対応関係が特定される対応関係情報を有する、前記（１）〜（６）のいずれか１項に記載の通信装置。
（８）
前記対応関係情報は、前記無線通信リソースの前記無線通信ネットワーク識別子に応じた区切りの数または区切りの間隔が特定される情報を含む、前記（７）に記載の通信装置。
（９）
前記通信部は、受信信号強度が閾値以上である前記応答信号を受信する、前記（１）〜（８）のいずれか１項に記載の通信装置。
（１０）
前記無線通信ネットワーク識別子は、ＢＳＳ（Basic  Service  Set）を物理層で識別するための情報を含む、前記（１）〜（９）のいずれか１項に記載の通信装置。
（１１）
前記無線通信リソースは、時間、周波数または符号を含む、前記（１）〜（１０）のいずれか１項に記載の通信装置。
（１２）
前記応答信号は、時間、周波数または符号について多重化される、前記（１１）に記載の通信装置。
（１３）
物理層で識別される無線通信ネットワーク識別子の要求信号を受信し、
前記要求信号の受信後に、前記無線通信ネットワーク識別子に対応する無線通信リソースにおいて応答信号を送信する通信部を備える、通信装置。
（１４）
前記通信部は、前記通信装置の属する無線通信ネットワークにおいて使用されている第１の無線通信ネットワーク識別子に対応する無線通信リソースにおいて前記応答信号を送信する、前記（１３）に記載の通信装置。
（１５）
前記通信部は、他の通信装置から第２の無線通信ネットワーク識別子を有する信号を受信し、
受信された信号の有する前記第２の無線通信ネットワーク識別子に対応する無線通信リソースにおいて前記応答信号を送信する、前記（１４）に記載の通信装置。
（１６）
前記通信部は、第１の無線通信リソースにおいては、前記第１の無線通信ネットワーク識別子に対応する無線通信リソースにおいてのみ前記応答信号を送信し、
前記第１の無線通信リソースと互いに重複しないで設けられる第２の無線通信リソースにおいては、前記第２の無線通信ネットワーク識別子に対応する無線通信リソースにおいてのみ前記応答信号を送信する、前記（１５）に記載の通信装置。
（１７）
前記他の通信装置から受信される信号は、前記第１の無線通信リソースにおける前記第１の無線通信ネットワーク識別子に対応する無線通信リソースにおいて前記他の通信装置から受信される前記応答信号を含む、前記（１６）に記載の通信装置。
（１８）
前記応答信号は、前記応答信号が送信される無線通信リソースに対応する前記無線通信ネットワーク識別子を有する、前記（１３）〜（１７）のいずれか１項に記載の通信装置。
（１９）
プロセッサを用いて、
物理層で識別される無線通信ネットワーク識別子の要求信号を送信することと、
前記要求信号の送信後に、前記無線通信ネットワーク識別子に対応する無線通信リソースにおいて応答信号を受信することと、
を含む、通信方法。
（２０）
プロセッサを用いて、
物理層で識別される無線通信ネットワーク識別子の要求信号を受信することと、
前記要求信号の受信後に、前記無線通信ネットワーク識別子に対応する無線通信リソースにおいて応答信号を送信することと、
を含む、通信方法。
（２１）
物理層で識別される無線通信ネットワーク識別子の要求信号を送信する機能と、
前記要求信号の送信後に、前記無線通信ネットワーク識別子に対応する無線通信リソースにおいて応答信号を受信する機能と、
をコンピュータに実現させるためのプログラム。
（２２）
物理層で識別される無線通信ネットワーク識別子の要求信号を受信する機能と、
前記要求信号の受信後に、前記無線通信ネットワーク識別子に対応する無線通信リソースにおいて応答信号を送信する機能と、
をコンピュータに実現させるためのプログラム。
【符号の説明】
【０２２７】
１００    ＡＰ
１１０、２１０    データ処理部
１２０、２２０    制御部
１３０、２３０    無線通信部
２００    ＳＴＡ、ＯＳＴＡ
【図１】
2017118250.tif 000003
【図２】
2017118250.tif 000004
【図３】
2017118250.tif 000005
【図４】
2017118250.tif 000006
【図５】
2017118250.tif 000007
【図６】
2017118250.tif 000008
【図７】
2017118250.tif 000009
【図８】
2017118250.tif 000010
【図９】
2017118250.tif 000011
【図１０】
2017118250.tif 000012
【図１１】
2017118250.tif 000013
【図１２】
2017118250.tif 000014
【図１３】
2017118250.tif 000015
【図１４】
2017118250.tif 000016
【図１５】
2017118250.tif 000017
【図１６】
2017118250.tif 000018
【図１７】
2017118250.tif 000019
【図１８】
2017118250.tif 000020
【図１９】
2017118250.tif 000021
【図２０】
2017118250.tif 000022